(57)【要約】表示装置（１８）は、アノテーションを付けた複数のイメージプリント（３６）を順番に表示することができ、各イメージプリントの裏面（４６）にはコード化されたオーディオデータ（５４）が一体化されており、この時、イメージプリントの表示とイメージプリントに関連付けたオーディオデータの再生の両方ができる。表示装置（１８）の１つの特徴としては、複数のイメージプリントに対するオーディオデータを録音して、特定のイメージプリントをそれぞれのオーディオ録音と電気的に関連付ける手書きの手段を提供する。他の特徴としては、表示装置（１８）は、コード化されたデータ（５４）をイメージプリントと一体化させる手段、及びイメージプリントのポートフォリオに対応するデータを記録、記憶、再生する手段も含む。さらに、イメージおよび対応するオーディオメッセージをキャプチャし、オーディオメッセージをイメージから作成されたイメージプリントの裏面（４６）と一体化させ、対応するオーディオメッセージを再生しながらイメージプリントを表示する方法もある。【選択図】図１
2004524757.tif 000002
【特許請求の範囲】
【請求項１】
複数のイメージプリントを保持し、ビューアパーチャに該イメージプリントを連続的に表示する表示手段、及び、該イメージプリントを１つずつこのビューアパーチャに進める送り手段を包含し、以下の構成を含むことにより、
表示装置がイメージプリントの表示と、対応する解読済み機械読取可能データの再生の両方に便利な、表示装置：
機械読取可能データがこれらのイメージプリントのうち少なくとも１つのイメージプリントの裏面と一体化しており、複数のイメージプリントの少なくとも１つの裏面の機械読取可能データをスキャンするスキャン手段；
オーディオデータ、機械データ、又はテキストデータを含む前記機械読取可能データを解読する解読手段；
前記少なくとも１つのスキャンしたイメージプリントに対応する前記解読済み機械読取可能データを格納する記憶手段；及び
少なくとも１つのスキャンしたイメージプリントがビューアパーチャに表示されると、少なくとも１つのスキャンしたイメージプリントに対応する解読済み機械読取可能データを前記記憶手段から再生する再生手段。
【請求項２】
前記スキャン手段がイメージセンサによる、請求項１の装置。
【請求項３】
前記機械読取可能データが２次元コードである、請求項１又は２の装置。
【請求項４】
前記記憶手段が不揮発性記憶素子である、請求項１、２又は３の装置。
【請求項５】
さらに前記機械読取可能データからスピーチを合成する音声合成手段を包含する請求項１、２、３又は４の装置。
【請求項６】
さらに前記機械読取可能データを外部デバイスへ転送する転送手段を包含する請求項１、２、３、４又は５の装置。
【請求項７】
さらにタッチスクリーンからのユーザ入力に応じる入力手段を包含する請求項１、２、３、４、５又は６の装置。
【請求項８】
さらに電子表示デバイス上に表示する前記解読済み機械読取可能データを出力する出力手段を包含する請求項１、２、３、４、５、６又は７の装置。
【請求項９】
複数のイメージプリントを保持し、ビューアパーチャに該イメージプリントを連続的に表示する表示手段、及び、該イメージプリントを１つずつビューアパーチャに進める送り手段を含み、以下の構成を含むことにより、
証印は、対応するオーディオ録音に少なくとも１つのイメージプリントを対応させる手段を提供し、及び
表示装置は、イメージプリントの表示と前記イメージプリントに対応するオーディオの再生の両方に便利な、表示装置：
複数のイメージプリントのうち少なくとも１つの裏面に書かれた手書きの証印をスキャンするためのスキャン手段；
前記認証が前記少なくとも１つのスキャンしたイメージプリントに対して固有の特定情報を持つ場合において、前記スキャンした証印を解読する解読手段；
前記少なくとも１つのスキャンしたイメージプリントに対応するオーディオを録音する記録手段；
前記特定情報と固有に関連付けられた固有の記憶場所にある前記少なくとも１つのスキャンしたイメージプリントに対応する前記オーディオ録音を格納する記憶手段；
前記少なくとも１つのスキャンしたイメージプリントがビューアパーチャに表示されると、前記少なくとも１つのスキャンしたイメージプリントに対応する前記オーディオ録音を前記固有の記憶場所から再生する再生手段。
【請求項１０】
前記スキャン手段がイメージセンサによる、請求項９の装置。
【請求項１１】
前記解読手段が光文字認識プロセスによる、請求項９又は１０の装置。
【請求項１２】
前記記憶手段が前記表示装置に取り外し可能なように取り付けられている不揮発性記憶素子による、請求項９、１０又は１１の装置。
【請求項１３】
さらにスピーチを合成する音声合成手段を包含する、請求項９、１０、１１又は１２の装置。
【請求項１４】
さらに前記録音したオーディオを外部デバイスへ転送する転送手段を包含する、請求項９、１０、１１、１２又は１３の装置。
【請求項１５】
以下のステップを含むことにより、
表示装置が、イメージプリントの表示、及び前記イメージプリントに関連付けられた機械読取可能データの再生の両方に便利な、表示装置でイメージプリントのスタックを順番に表示する方法：
i)  イメージプリントのスタックを前記表示装置に入れる；
ii)  スタック最後尾のイメージプリント裏面から、オーディオデータ、機械データ、又はテキストデータを含む機械読取可能データをスキャンするが、前記機械読取可能データは前記イメージプリントのスタック最後尾のイメージプリント裏面と一体化している；
iii)  前記スタック最後尾のイメージプリントに対応する前記スキャンした機械読取可能データを解読し、前記スタック最後尾のイメージプリントに対応する前記スキャンした機械読取可能データを記憶手段に格納する；
iv)  前記スタック最後尾のイメージプリントをスタック最前列に進めてビューアパーチャへ送る；
v)  前記ビューアパーチャに表示されている前記スタック最前列のイメージプリントに対応する記憶手段に格納された、前記スキャンした解読済み機械読取可能データを再生する。
【請求項１６】
前記表示装置は、前記スタック最後尾のイメージプリントを取り出すフレーム枠、及び前記イメージプリントのスタックの残りが入る引き出しを含み、この引き出しは、最初に完全に入れた位置と２番目の完全に出した位置の間で前記フレーム枠にスライド可能であり、及び、以下のさらなるステップを含むことにより、
前記表示装置はこの表示装置内で前記イメージプリントのスタックを順番に並べ替える、請求項１５に記載の方法：
i)  前記完全に入れた位置から完全に出した位置までこの引き出しを引き出すと、前記最後尾のイメージプリントが前記ビューアパーチャへ送られる；
ii)  前記引き出しを前記完全に閉じた位置から完全に開いた位置まで動かすと、該イメージプリントのスタックの残りが前記最後尾のイメージプリントの下へ移動して最後尾のイメージプリントが該イメージプリントのスタック最前列へ移動し、同時に最後尾のイメージプリントの前記機械読取可能データをスキャンして解読し、前記記憶手段に格納する；
iii)  前記引き出しを前記完全に閉じた位置から完全に開いた位置へスライドさせ、さらに前記完全に閉じた位置まで戻す該動作により、前記表示装置は、前記ビューアパーチャに表示された前記最前列のイメージプリントに対応する前記記憶手段に格納された前記解読済み機械読取可能データが再生される。
【請求項１７】
前記表示装置は、前記ビューアパーチャに配置されたタッチスクリーンをさらに包含するが、そのタッチスクリーンが、ユーザが、前記ビューアパーチャに表示された前記最前列のイメージプリントと相互にやり取りできるタッチ入力手段を提供する、請求項項１５又は１６に記載の方法。
【請求項１８】
前記表示装置は、ユーザにビジュアル情報を電子的に表示する出力手段を提供する電子表示デバイスをさらに包含する、請求項１５、１６又は１７に記載の方法。
【請求項１９】
以下のステップを含むことにより、
証印は、対応するオーディオ録音に最前列のイメージプリントを対応させる手段を提供し、及び
表示装置が、イメージプリントの表示とそのイメージプリントに対応するオーディオの再生の両方に便利な、表示装置にイメージプリントのスタックを順番に表示する方法：
i)  イメージプリントのスタックを前記表示装置に入れる；
ii)  スタック最後尾のイメージプリントの裏面に書かれた手書き証印をスキャンする；
iii)  このスキャンした証印を解読するが、その証印は前記スタック最後尾のイメージプリント固有の識別情報を含む；
iv)  前記スタック最後尾のイメージプリントをスタック最前列に進めてビューアパーチャへ送る；
v)  前記スタック最前列のイメージプリントに対応するオーディオを録音する；
vi)  前記スタック最前列のイメージプリントに対応するこのオーディオ録音を、前記スタック最前列のイメージプリントに対応する前記識別情報に個別に関連付けられた記憶場所にある記憶手段に格納する；
vii)  前記表示装置の前記ビューアパーチャに表示された前記スタック最前列のイメージプリントに対応する前記録音したオーディオをこの記憶手段から再生する。
【請求項２０】
前記表示装置は、前記スタック最後尾のイメージプリントを取り出すフレーム枠、及び前記イメージプリントの該スタック残りが入る引き出しを含み、前記引き出しは、最初に完全に入れた位置と２番目の完全に出した位置の間で前記フレーム枠に沿ってスライド可能であり、及び、以下のさらなるステップを含むことにより、
前記表示装置はその表示装置内でイメージプリントのスタックを順番に並べ替える、請求項１９に記載の方法：
i)  前記完全に入れた位置から完全に出した位置まで前記引き出しを動かすと、前記最後尾のイメージプリントが前記ビューアパーチャへ送られる；
ii)  前記引き出しを前記完全に開いた位置から完全に閉じた位置へ動かすと、該イメージプリントのスタックの残りが前記最後尾のイメージプリントの下へ移動して最後尾のイメージプリントが該イメージプリントのスタック最前列へ移動し、同時に次に最後尾のイメージプリントに手書きされている前記証印を解読し、前記記憶手段に格納する；
iii)  前記引き出しを前記完全に閉じた位置から完全に開いた位置までスライドさせ、及び前記完全に閉じた位置まで戻す該動作により、前記表示装置は、前記ビューアパーチャに表示された前記最前列のイメージプリントに対応する前記記憶手段に格納された前記オーディオ録音が再生される、
【請求項２１】
前記機械読取可能データは、前記スタック最後尾のイメージプリントの裏面と一体化しており、以下のステップを含むことにより、
オーディオ録音は前記スタック最後尾のイメージプリントと一体化される、請求項１５、１６、１７又は１８に記載の方法：
i)  記録デバイスを使用して前記スタック最後尾のイメージプリントに対応するオーディオ録音を作成する；
ii)  アルゴリズムのコード化プロセスにより、前記オーディオ録音を前記機械読取可能データに変換するが、その機械読取可能データは２次元コードフォーマットである；及び
iii)  印刷デバイスを使用して前記機械読取可能データを印刷し、その機械読取可能データを前記スタック最後尾のイメージプリントの裏面と一体化させる。
【請求項２２】
さらに、以下のステップを包含することにより、
オーディオ録音は少なくとも１つの対応するイメージプリントと一体化される、請求項１９又は２０に記載の方法：
i)  前記イメージプリントのスタックのうち少なくとも１つに対応するオーディオ録音を前記表示装置から出力する；
ii)  アルゴリズムのコード化プロセスにより、少なくとも１つのオーディオ録音を機械読取可能データに変換するが、その機械読取可能データは２次元コードフォーマットである；そして
iii)  印刷デバイスを使用して前記機械読取可能データを印刷し、その機械読取可能データを前記少なくとも１つの対応するイメージプリントの裏面と一体化させる、
【請求項２３】
以下のステップを含むことにより、
オーディオ録音はイメージプリントと一体化される、イメージプリントの裏面に該イメージプリントに対応するオーディオ録音を表した機械読取可能データを記録する方法：
i)  オーディオ録音に使用された表示装置から該オーディオ録音を出力する；
ii)  アルゴリズムのコード化プロセスにより、該オーディオ録音を前記機械読取可能データに変換するが、その機械読取可能データは２次元コードフォーマットである；
iii)  印刷デバイスを使用して前記機械読取可能データを印刷し、その機械読取可能データを対応するイメージプリントの裏面と一体化させる。
【請求項２４】
以下の構成を含むことにより、
表示装置は、イメージプリントの表示と、対応する解読済み機械読取可能データのインプリント及び再生に使用できる、アノテーション及び表示装置：
i)  複数のイメージプリントを保持し、そのイメージプリントをビューアパーチャに連続的に表示する表示手段；
ii)  前記ビューアパーチャに１つずつイメージプリントを順番に進める送り手段；
iii)  少なくとも１つの前記イメージプリントに対応するオーディオメッセージを録音する記録手段；
iv)  前記録音したオーディオメッセージを機械読取可能データにコード化するコード化手段；
v)  前記機械読取可能データをインプリントし、及びその機械読取可能データを前記少なくとも１つのイメージプリントの裏面と一体化させるインプリント手段；
vi)  前記少なくとも１つのイメージプリントの裏面と一体化した前記機械読取可能データをスキャンするスキャン手段；
vii)  前記機械読取可能データを前記少なくとも１つのイメージに対応する解読済みオーディオメッセージへ解読する解読手段；
viii)  前記少なくとも１つのイメージプリントが前記表示装置のビューアパーチャに表示された時に前記解読済みオーディオメッセージを再生する再生手段。
【請求項２５】
前記インプリント手段が、前記機械読取可能データを前記少なくとも１つのイメージプリントの裏面へ直接印刷する、又はラベルに印刷後そのラベルを前記少なくとも１つのイメージプリントの裏面へ貼り付けるインプリント手段である、請求項２４の装置。
【請求項２６】
前記機械読取可能データが２次元コード形式である、請求項２４又は２５の装置。
【請求項２７】
前記スキャン手段がイメージセンサである、請求項２４、２５又は２６の装置。
【請求項２８】
該表示装置が持ち運び可能で電池仕様である、請求項２４、２５、２６又は２７の装置。
【請求項２９】
以下のステップを含むことにより、
録音されたオーディオメッセージは前記少なくとも１つのイメージプリントの裏面と一体化され、その少なくとも１つのイメージプリントが表示装置で表示される時に再生される、表示装置を用いたイメージプリントのアノテーション及び表示方法：
i)  少なくとも１つのイメージプリントに対応するオーディオメッセージを録音する；
ii)  前記録音したオーディオメッセージを機械読取可能データにコード化する；
iii)  前記表示装置に取り付けられたインプリンタを使用して前記機械読取可能データをインプリントして、その機械読取可能データを前記少なくとも１つのイメージプリントの裏面と一体化させる；
iv)  前記少なくとも１つのイメージプリントの裏面と一体化した前記機械読取可能データをスキャンする；
v)  前記機会読取可能データを前記少なくとも１つのイメージに対応する解読済みオーディオメッセージへ解読する；
vi)  前記表示装置のビューアパーチャに前記少なくとも１つのイメージプリントを表示する；及び
vii)  前記表示されたイメージプリントに対応する前記解読済みオーディオメッセージを再生する。
【請求項３０】
前記表示装置が、複数のイメージプリントを保持し、前記ビューアパーチャにそれらのイメージプリントを連続的に表示する表示手段、及び、それらのイメージプリントを前記ビューアパーチャに１つずつ進める送り手段を含む、請求項２９の方法。
【請求項３１】
前期インプリンタが、前記機械読取可能データを前記少なくとも１つのイメージプリントの裏面へ直接印刷する、又はラベルに印刷後そのラベルを前記少なくとも１つのイメージプリントの裏面へ貼り付けるインプリンタである、請求項２９又は３０の方法。
【請求項３２】
以下のステップを含むことにより、
少なくとも１つのイメージをキャプチャしている間に作成された少なくとも１つの録音されたオーディオメッセージが対応するイメージプリントの裏面と一体化され、及びそのイメージプリントが表示装置に表示される時に再生される、
イメージと対応するオーディオメッセージと組み合わせ、及び表示装置で前記イメージを表示し、前記対応するオーディオメッセージを再生する方法：
i)  カメラを使用して少なくとも１つのイメージをキャプチャするが、カメラは対応するオーディオメッセージも録音できる；
ii)  前記カメラを使用して、記憶媒体にある前記少なくとも１つのイメージに対し、少なくとも１つの前記対応するオーディオメッセージを録音する；
iii)  前記少なくとも１つのキャプチャしたイメージからイメージプリントを１つ作成する；
iv)前記記憶媒体に格納されている前記少なくとも１つの録音された対応するオーディオメッセージを機械読取可能データへコード化する；
v)前記機械読取可能データをインプリントし、及び前記機械読取可能データを前記イメージプリントの裏面に一体化させる；
vi)前記イメージプリントの裏面と一体化した前記機械読取可能データをスキャンする；
vii)前記機械読取可能データを前記イメージプリントに対応する解読済みオーディオメッセージへ解読する；
viii)前記表示装置のビューアパーチャに前記イメージプリントを表示する；そして
ix)前記表示されたイメージプリントに対応する前記解読済みオーディオメッセージを再生する。
【請求項３３】
前記表示装置が前記イメージプリントをビューアパーチャに連続的に表示する表示手段、及び、そのイメージプリントを前記ビューアパーチャに１つずつ順番に進める送り手段を持つ、請求項３２に記載の方法。
【請求項３４】
前記機械読取可能データが２次元コード形式による、請求項３２又は３３に記載の方法。
【請求項３５】
前記記憶媒体が、前記イメージを格納するために使用されるフィルムカートリッジ、又はキャニスターに取り付けられたソリッドステートメモリ素子である、請求項３２、３３又は３４に記載の方法。
【請求項３６】
前記カメラが使い捨てカメラである、請求項３２、３３、３４又は３５に記載の方法。
【請求項３７】
前記カメラがデジタルカメラである、請求項３２、３３、３４又は３５に記載の方法。
【請求項３８】
以下の構成を含むことにより、
カセットがイメージプリントを整理及び区分するのに便利な手段となり、及びポートフォリオ記録手段が、記憶と以後の再生のためにポートフォリオの内容を特徴づけるのに便利な手段となる、ポートフォリオのアノテーション装置：
i)  イメージプリントを保持するための取り外し可能なカセット、ポートフォリオを構成する前記カセット及び前記イメージプリント；
ii)  オーディオデータ、機械データ、又はテキストデータを含む、前記ポートフォリオの特性を示すデータを記録するポートフォリオ記録手段；
iii)  前記データを格納するために前記カセットに取り付けられた記憶手段；そして
iv)  前記記憶手段から前記ポートフォリオの特性を示す前記データを再生するポートフォリオ再生手段。
【請求項３９】
前記装置は前記イメージプリントをビューアパーチャに連続的に表示する表示手段、及び、そのイメージプリントを前記カセットから前記ビューアパーチャに１つずつ順番に進める送り手段を包含する、請求項３８の装置。
【請求項４０】
前記イメージプリントがそれ自体と一体化したアノテーションを持つ、請求項３８又は３９の装置。
【請求項４１】
前記記憶手段が前記カセットに取り外し可能なように取り付けられている、請求項３８、３９又は４０の装置。
【請求項４２】
以下のステップを含むことにより、
取り外し可能なカセットの使用は、イメージプリントをポートフォリオに整理及び区分するのに便利な方法であり、及び、このポートフォリオに対応するデータの記録は、ポートフォリオの内容を特徴づけることができ、格納やその後の再生に便利な方法である、イメージプリントのポートフォリオにアノテーションを付ける方法：
i)  取り外し可能なカセットに少なくとも１つのイメージプリントを入れるが、この少なくとも１つのイメージプリントとこのカセットはポートフォリオを含む；
ii)  前記ポートフォリオを記録と再生手段を持った装置内に置く；
iii)  オーディオデータ、機械データ、又はテキストデータを含む前記ポートフォリオに対応するデータを記録する；
iv)前記カセットに取り付けられた記憶素子に前記データを格納する；及び
v)前記記憶素子から前記ポートフォリオに対応する前記データを再生する。
【請求項４３】
前記装置が前記イメージプリントをビューアパーチャに連続的に表示する表示手段、及び、そのイメージプリントを前記カセットから前記ビューアパーチャに１つずつ順番に進める送り手段を包含する、請求項４２に記載の方法。
【請求項４４】
イメージプリントにはアノテーションが一体化されている、請求項４２又は４３に記載の方法。
【請求項４５】
前記記憶素子が前記カセットに取り外し可能なように取り付けられている、請求項４２、４３又は４４に記載の方法。
【発明の詳細な説明】
【技術分野】
【０００１】
本発明はイメージプリントの表示及びそのイメージプリントと一体化したアノテーションの記録及び再生を行う方法と装置に関する。
【背景技術】
【０００２】
イメージアノテーションとは、関連した付随情報を加えて、イメージプリントの鑑賞の楽しみを増やしたり、将来の参考にするプロセスである。イメージプリントに関連したアノテーションの記録及び再生機能は、多くの異なる分野で幅広い応用が可能である。例えば、写真の分野においては、撮影者自身が録音した音声アノテーションを後で再生することにより、撮影がより楽しくなるほか、写真にまつわる出来事を後で鮮明に思い起こすことができる。観光の分野においては、オーディオナレーション機能を持った絵ハガキが、訪問地のツアーガイドの役目を果たすほか、旅行後の記念品にもなりえる。子供の教育分野においても、物語のあらすじのナレーションを聞くことができる絵付きカードによって、子供は楽しみながら読む力をつけることができる。
【０００３】
従来の写真プリントにアノテーションを記録・再生しようとする試みは、これまで、さまざまな形で行われてきた。先行技術文献の多くには、音声情報保持のために、磁気ディスク、テープ、電子メモリ素子、光メモリ素子などの独立した記憶媒体が使用されたことが記されている。音声情報は、その後、特別なアルバムまたは表示装置により、写真プリントと論理的に関連付けられる。このアプローチの欠点は、取り扱い中に音声記憶媒体が写真プリントから容易く離れてしまう点である。また、記憶媒体は、物理的に損失、破損、消去されやすい。その他の先行技術文献では、イメージプリントと音声情報の一体化が記されている。このアプローチでは、オーディオ情報がイメージプリントから分離したり、混同したりするリスクを排除することができる。以下の記述は、このアプローチに関するものである。
【０００４】
このアプローチでは、音声情報を持った磁気、半導体、光メモリをイメージプリントと一体化させるさまざまな方法が今までの技術文献に見られる。加えて、いくつかの先行技術文献では、独立した記憶手段を使用せずに媒体に直接光コード化を行う方法も記されている。以下に磁気記憶方法について開示した先行技術のいくつかを挙げる：
【０００５】
１９８１年６月２日にシュテム（Stemme）らに発行された米国特許第４，２７０，８５４号では、インスタントプリントを取り出した後、そのプリントをカメラの付属スロットに差し込み、その後、プリント周辺に一体化された磁気ストリップにオーディオを録音するという手順で、音声がインスタントプリント上に録音される。開示されている唯一の再生方法は、カメラによるものである（特許文献１）。
【０００６】
類似した方法として、１９９０年２月２７日にケリー（Kelly）に発行された米国特許第４，９０５，０２９号があるが、これは、インスタントプリント材料に埋め込んだ磁気ストリップ、あるいは後で添付する分離可能な磁気ストリップを使用して音声を録音する。この方法では、オーディオ記憶のスペースが限られており、また、プリントを見ながら音声を再生することが容易ではない。シグナル再生には、ヘッドと磁気ストリップの間の相対的運動を利用する磁気読取ヘッドが必要となる。このシステムでは機械的な故障が発生しやすい（特許文献２）。
【０００７】
また、１９９９年７月６日にマーゼン（Marzen）らに発行された米国特許第５，９２０，７３７号では、写真をアプリケーター装置内に置くと、録音した磁気テープストリップが写真に自動的に貼り付けられる、記録／アプリケーターの仕組みを備えた装置を開示している。残念ながら、時間の経過にともなって磁気に記録されたデータが失われるなど、このような磁気記録媒体の寿命は限られている（特許文献３）。
【０００８】
過去のその他の技術文献には、次のような半導体メモリ方法を開示したものがある：
１９９４年１１月２２日にスコット（Scott）に発行された米国特許第５，３６５，６８６号は、写真を入れるＵ字型のプラスチック・スリーブを紹介しているが、スリーブにはオーディオデータを録音したり、再生したりできるICメモリチップが一体化されている。このスリーブはプレイヤーに「プラグイン」することができ、それによって、プレイヤーとの電気的接続が発生する。このシステムの欠点は、コスト高になり、イメージプリントがかさばることである（特許文献４）。
【０００９】
また、１９９９年３月２日にベル（Bell）らに発行された米国特許第５，８７８，２９２号は、イメージ・オーディオプリントの作成方法を開示しているが、この方法では、イメージプリントはEPROMまたはEEPROMのようなオーディオ記憶手段を持った裏紙に貼り付けられる。このイメージ・オーディオプリントをプレイヤーに挿入すると、プレイヤーの装置と電気的接触が発生し、それによって、一体化したオーディオ記憶に格納されているメッセージが再生される。この発明によると、この裏紙の材料はプリントに「分厚い感じ」を加える。この分厚さは、大半の利用者にとっては望ましくない（特許文献５）。
【００１０】
過去のその他の技術文献には、さらに、以下のような光学的方法を開示したものがある：
米国特許第４，９８３，９９６号では、フィルム周辺のバーコードに音声データを光学的に記録するマイク付きカメラを開示している。カメラには、フィルムの現像・プリント後に、プリント周辺のコードをスキャンし、プリントに関連付けた録音の再生に使用される分離接続可能なバーコード読取が備えられている。このシステムでは、録音時間が限られる（特許文献６）。
【００１１】
また、１９９４年１月４日にベル（Bell）らに発行された米国特許第５，２７６，４７２号は、音声の録音を最初にフィルム上の透明な磁気コーティング上へ格納する音声キャプチャカメラについて説明している。この音声の録音は、その後、インクジェットプリンタまたは熱形成されるブリスターによりプリントの裏へ移行されるか、あるいは、プリント表のイメージの隣へバーコードとして書き込まれる。手のひらサイズのデバイスを使って、プリントからの音声録音の読み取りや音声録音の再生を行う。このシステムでは、プリント上に音声録音すべてを書き込むことが必要であり、一例では、プリント上のイメージの隣に音声録音情報を持つ目障りなパターンの作成を提案している（特許文献７）。
【００１２】
１９９６年５月２８日にノリス（Norris）が取得した米国特許第５，５２１，６６３号は、潜像イメージバイナリコードを使用して、カメラがフィルムに直接音声を録音する方法を開示している。バイナリコードはプリントが露出する時点でプリント上にイメージ化される。このコードは、再生デバイスのスキャナにより音声に解読される。このシステムでは、イメージプリントの貴重なイメージ部分が音声コードに使い切られてしまう（特許文献８）。
【００１３】
さらに、１９９９年１１月３０日にステファニー（Stephany）らに発行された米国特許番号第５，９９５，１９３は、写真プリントのような媒体にデータを記録・再生する内蔵デバイスを開示している。記録は、可視または不可視インクのどちらかあるいは両方で行われ、再生もどちらかあるいは両方のインクを感知する。記録・再生にはプリントをデバイスへ挿入する。このデバイスでは音声再生の軽便性が制限される（特許文献９）。
【００１４】
同様に、２０００年７月２５日にソシア（Soscia）に発行された米国特許第６，０９４，２７９号は、音声情報の記録手段として、写真イメージ上に不可視コードを印刷するという方法を開示している。不可視イメージは、写真の乳剤層の現像、インクジェット印刷、染料熱転写印刷などの印刷方法により作成される。コードは、コード化されたデータの１次元あるいは２次元配列である。このアプローチでは、写真プリントの表に印刷しなければならず、問題となる有害な相互作用を防ぐために、写真層に使用する材料を始め、それぞれの材料の選択をしなければならない。これは、新しいプリントでは問題はないが、既存のプリントに適用するのは困難である。さらに、多くの利用者にとって、貴重な写真に必ずしも必要ではない修正を加え、その結果、わずかでも写真が損傷、損失する危険を犯すことは、受け入れがたいと考えられる（特許文献１０）。
【００１５】
以上により、音声などのデータをプリントイメージに関連付ける技術に対する要望が存在することは明確である。しかし、残念ながら、上記に示したように、前記のシステムには、それぞれ１つ以上の欠点が見られる。
【特許文献１】
米国特許第４，２７０，８５４号
【特許文献２】
米国特許第４，９０５，０２９号
【特許文献３】
米国特許第５，９２０，７３７号
【特許文献４】
米国特許第５，３６５，６８６号
【特許文献５】
米国特許第５，８７８，２９２号
【特許文献６】
米国特許第４，９８３，９９６号
【特許文献７】
米国特許第５，２７６，４７２号
【特許文献８】
米国特許第５，５２１，６６３号
【特許文献９】
米国特許第５，９９５，１９３号
【特許文献１０】
米国特許第６，０９４，２７９号
【発明の開示】
【００１６】
（発明の概要）
簡潔にまとめると、本発明の１つの好適な態様の目的は、イメージプリントの表示とその裏面と一体化したアノテーションを再生する装置及び方法を提供することにより、上記の欠点を克服することである。
【００１７】
本発明のもうひとつの好適な態様の目的は、対応するイメージプリントのアノテーションを記録して関連付け、及び、対応するイメージプリントが表示されている時に同時にアノテーションを再生する装置及び方法を提供することである。
【００１８】
本発明のさらにもう１つの好適な態様の目的は、イメージプリントに関連したアノテーションをコード化し、２次元のコードフォーマットになったアノテーションをイメージプリントの裏面と一体化させる方法を提供することである。
【００１９】
本発明のさらに好適な態様の目的は、イメージプリントに関連付けたアノテーションを記録し、そのアノテーションを、対応するイメージプリントの裏面と一体化させ、対応するアノテーションの再生時にイメージプリントを表示する装置及び方法を提供することである。
【００２０】
本発明のもうひとつの好適な態様の目的は、イメージとイメージに対応するオーディオメッセージをキャプチャし、そのオーディオメッセージをイメージから作成したイメージプリントと一体化させ、対応するオーディオメッセージの再生時にイメージプリントを表示する方法を提供することである。
【００２１】
本発明のさらにもう１つの好適な態様の目的は、イメージプリントのポートフォリオに対応するデータを記録、格納、再生する装置及び方法を提供することである。
【００２２】
本発明の他の好適な実施形態の目的は、その装置を持ち運び可能にし、内蔵型で、電池仕様にすることである。
【００２３】
本発明の好適な態様に基づき、表示装置は、複数のイメージプリントを保持し、ビューアパーチャでイメージプリントを連続的に表示する表示手段、及び、ビューアパーチャにイメージプリントを順番に１つずつ進める送り手段を含み、以下から構成される：複数のイメージプリントのうち少なくとも１つのイメージプリントの裏面に一体化した機械読取可能データをスキャンするスキャン手段；オーディオデータ、機械データ、又はテキストデータを含む機械読取可能データを解読する解読手段；少なくとも１つのスキャンしたイメージプリントに対応する解読済み機械読取可能データを格納する記憶手段；少なくとも１つのスキャンしたイメージプリントがビューアパーチャに表示される時に、少なくとも１つのスキャンしたイメージプリントに対応する解読済み機械読取可能データを記憶手段から再生する再生手段、よって、表示装置はイメージプリントの表示、及び、対応する解読済み機械読取可能データの再生の両方に使用できる。
【００２４】
本発明のもうひとつの好適な態様に基づき、表示装置は、複数のイメージプリントを保持し、ビューアパーチャでイメージプリントを連続的に表示する表示手段、及び、ビューアパーチャにイメージプリントを順番に１つずつ進める送り手段を含み、以下から構成される：複数のイメージプリントのうち少なくとも１つの裏面の手書き証印をスキャンするスキャン手段；少なくとも１つのスキャンしたイメージプリントに固有な特定情報を持つ手書き証印を解読する解読手段；少なくとも１つのスキャンしたイメージプリントに対応するオーディオを録音する記録手段；少なくとも１つのスキャンしたイメージプリントに対応するオーディオ録音を、特定情報に関連付けて固有の記憶場所に格納する記憶手段；少なくとも１つのスキャンしたイメージプリントがビューアパーチャに表示される時に、少なくとも１つのスキャンしたイメージプリントに対応する録音したオーディオを固有の記憶場所から再生する再生手段、よって、証印は、対応するオーディオ録音がある少なくとも１つのイメージプリントに対応する手段を提供し、表示装置はイメージプリントの表示とイメージプリントに関連付けられたオーディオの再生の両方に使用できる。
【００２５】
イメージプリントのスタックを表示装置で順番に表示する方法は、以下のステップを含む：イメージプリントのスタックを表示装置に置く；スタック最後尾のイメージプリントの裏面からオーディオデータ、機械データ、又はテキストデータを含む機械読取可能データをスキャンするが、この機械読取可能データはスタック最後尾のイメージプリントの裏面と一体化している；スタック最後尾のイメージプリントに対応するスキャンした機械読取可能データを解読し、スタック最後尾のイメージプリントに対応するスキャンした機械読取可能データを記憶装置へ保存する；スタック最後尾のイメージプリントをスタックの最前列へ進めてビューアパーチャへ送る；ビューアパーチャに表示されたスタック最前列のイメージプリントに対応し、記憶手段に格納されたスキャンした解読済み機械読取可能データを再生する、よって、表示装置はイメージプリントの表示とイメージプリントに関連付けた機械読取可能データの再生の両方に使用できる。
【００２６】
イメージプリントのスタックを表示装置で順番に表示する方法は以下のステップを含む：イメージプリントのスタックを表示装置に置く；スタック最後尾にあるイメージプリントの裏面の手書き証印をスキャンする；スタック最後尾のイメージプリントに固有の特定情報を持つ、スキャンした証印を解読する；スタック最後尾のイメージプリントを最前列へ進め、ビューアパーチャへ送る；スタック最前列のイメージプリントに対応するオーディオを録音する；スタック最前列のイメージプリントに対応するオーディオ録音を、スタック最前列のイメージプリントに対応する特定情報に個別に関連付けた保管場所の記憶手段に格納する；表示装置のビューアパーチャに表示されたスタック最前列のイメージプリントに対応するオーディオ録音を記憶手段から再生し、よって、証印は対応するオーディオ録音のあるスタック最前列のプリントイメージに対応する手段を提供するので、表示装置はイメージプリントの表示とイメージプリントに関連付けたオーディオの再生の両方に使用できる。
【００２７】
イメージプリントの裏面に、イメージプリントに対応するオーディオ録音を表した機械読取可能データを記録する方法は、以下のステップを含む：オーディオ録音に使用した表示装置からオーディオ録音を出力する；アルゴリズムのコード化プロセスを用い、オーディオ録音を２次元コードフォーマットの機械読取可能データへ変換する；印刷デバイスを用い、機械読取可能データを印刷し、機械読取可能データと対応するイメージプリントの裏面とを一体化させ、よって、オーディオ録音とイメージプリントを一体化させる。
【００２８】
アノテーション及び表示装置は以下から構成される：複数のイメージプリントを保持し、ビューアパーチャでイメージプリントを連続的に表示する表示手段；イメージプリントを１つずつ順番に進める送り手段；少なくとも１つのイメージプリントに対応するオーディオメッセージを録音する記録手段；録音したオーディオメッセージを機械読取可能データにコード化するコード化手段；機械読取可能データをインプリントし、機械読取可能データを少なくとも１つのイメージプリント裏面と一体化させるインプリント手段；少なくとも１つのイメージプリント裏面と一体化した機械読取可能データをスキャンするスキャン手段；少なくとも１つのイメージプリントに対応する機械読取可能データを解読済みオーディオメッセージへ解読する解読手段；少なくとも１つのイメージプリントが表示装置のビューアパーチャで表示されている時に、解読済みオーディオメッセージを再生する再生手段。よって、表示装置はイメージプリントの表示、及び、それに対応する解読済みオーディオメッセージのインプリントと再生の両方に使用できる。
【００２９】
表示装置を用いたイメージプリントのアノテーション及び表示方法は、以下のステップを含む：少なくとも１つのイメージプリントに対応するオーディオメッセージを録音する；録音したオーディオメッセージを機械読取可能データへコード化する；表示装置に取り付けられたインプリンタを用いて機械読取可能データをインプリントし、機械読取可能データを少なくとも１つのイメージプリントの裏面と一体化させる；少なくとも１つのイメージプリント裏面と一体化した機械読取可能データをスキャンする；少なくとも１つのイメージプリントに対応する機械読取可能データをオーディオメッセージへ解読する；表示装置のビューアパーチャで少なくとも１つのイメージプリントを表示する；表示されるイメージプリントに対応する解読済みオーディオメッセージを再生し、よって、オーディオメッセージ録音は少なくとも１つのイメージプリント裏面と一体化しており、少なくとも１つのイメージプリントが表示装置で表示されている時に、録音したオーディオメッセージが再生される。
【００３０】
イメージと対応するオーディオメッセージを組み合わせる方法、及び表示装置でイメージを表示し、対応するオーディオメッセージを再生する方法は以下のステップを含む：カメラを用いて少なくとも１つのイメージをキャプチャするが、カメラは対応するオーディオメッセージの録音もできる；カメラを用いて少なくとも１つのイメージに対応する１つ以上のオーディオメッセージを記憶媒体に録音する；少なくとも１つのキャプチャしたイメージからイメージプリントを作成する；記憶媒体に格納した少なくとも１つのオーディオメッセージを機械読取可能データへコード化する；機械読取可能データをイメージプリントの裏面にインプリントして機械読取可能データをイメージプリントの裏面と一体化させる；イメージプリント裏面と一体化した機械読取可能データをスキャンする；機械読取可能データからイメージプリントに対応するオーディオメッセージへ解読する；表示装置のビューアパーチャにイメージプリントを表示する；表示されたイメージプリントに対応する解読済みオーディオメッセージを再生し、よって、少なくとも１つのイメージをキャプチャする間に作成した１つ以上の録音メッセージは、対応するイメージプリントの裏面と一体化され、表示装置でそのイメージプリントを表示する際に再生される。
【００３１】
ポートフォリオのアノテーション装置は以下から構成される：イメージプリントを保持する取り外し可能なカセット、カセットとポートフォリオを構成するイメージプリント；ポートフォリオの特性を示すデータを記録するポートフォリオ記録手段、このデータはオーディオデータ、機械データ、又はテキストデータを含む；データを格納するカセットに取り付けられた記憶手段；ポートフォリオの特性を表示するデータを記憶装置から再生するポートフォリオの再生手段；よって、カセットはイメージプリントを整理、区分する手段となり、ポートフォリオ記録手段は、保存やその後の再生の際にポートフォリオの内容を特定できる。
【００３２】
イメージプリントのポートフォリオにアノテーションを付ける方法は以下のステップを含む：少なくとも１つのイメージプリントを取り外し可能なカセットに入れ、少なくとも１つのイメージプリントとこのカセットがポートフォリオを構成する；ポートフォリオを記録及び再生手段のある装置内部に置く；ポートフォリオに対応するオーディオデータ、機械データ、又はテキストデータを含むデータを記録する；データをカセットに取り付けた記憶素子に格納する；ポートフォリオに対応するデータを記憶素子から再生する；よって、取り外し可能なカセットにより、イメージプリントはポートフォリオとして整理、区分され、さらに、ポートフォリオに対応するデータを記録することにより、保管やその後の再生の際にポートフォリオの内容を特定できる。
【００３３】
本発明の好適な実施形態のいくつかの長所を以下に挙げる：
(a)写真プリントにアノテーションを付ける装置及び方法は、既存及び新しくプロセスするプリントの両方に互換性がある；
(b)写真プリントにアノテーションを付ける装置及び方法は、プリントと一体化したアノテーションを提供するため、プリントからアノテーションが分離することがない；
(c)写真プリントにアノテーションを付ける装置及び方法は、アノテーションのプロセスにおいてプリントのイメージ表面に目立つしるしを残さないため、イメージ鑑賞を妨げない；
(d)写真プリントにアノテーションを付ける装置及び方法は、写真プリント自体と同期間の耐久性があるアノテーションを作成するので、使用や時間の経過に伴って品質が目立って劣化することがなく、また誤って消去されることもない；
(e)写真プリントに作成されたアノテーションは、非接触手段により読み出されるので、プリント又はアノテーションの物理的損傷が発生しない；
(f)装置は、写真プリント１枚あたり、短くても１０秒の写真プリントのオーディオアノテーションを録音できる；
(g)装置は、複数の写真プリントを保持するが、ユーザ操作により、特定のプリントに関連付けたアノテーションを再生しながら各プリントを順番に表示するので、１つ１つのプリントをより楽しむことができる；
(h)写真プリントのアノテーションを呼び出す装置は、持ち運びと電池操作が可能である；
(i)装置は、写真プリントに対応するアノテーションを記録し、記録したアノテーションを対応するプリントとともに装置内に記憶する手段を含む；
(j)装置は、記憶したアノテーションを保持する取り外し可能な記憶素子を含む；
(k)方法及び装置は、精巧機器を必要とせず、一般ユーザが家庭で写真プリントにアノテーションを付けられる手段を含む；
(l)方法及び装置は、写真プリントに、人間が判読可能な情報とともにアノテーションを付ける手段を含む；
(m)方法及び装置は、プリントが写真アルバムに整理されていても写真プリントのアノテーションの読み出しが可能な手段を含む；
(n)装置は、合成スピーチを作成できるため、デジタル化したオーディオより長いオーディオメッセージを含むアノテーションを再生できる；
(o)装置は、アノテーションデータを外部デバイスへ転送できる；
(p)装置は、タッチスクリーンによりユーザとの双方向対話もできる；
(q)装置は、ユーザに情報を電子的に表示することもできる。
【００３４】
本発明の好適な実施形態のさらなる長所を以下に挙げる：
(a)システムは、市販のイメージ印刷デバイスと互換性があるので、専用印刷機器の開発や製造は不要である；
(b)写真プリントの表示及びそれらのプリントのアノテーション再生装置は、耐久性があり信頼性が高い；
(c)写真プリントのアノテーション及びこのアノテーションの再生の装置と方法は、低コストで製造できるため、安価で販売することができる。したがって、写真のアノテーションと表示装置は一般消費者が手頃な価格で購入することができる。
【００３５】
本発明の目的と長所は、以下の記述と添付の図面にて明らかにされており、本発明の好適な実施形態が明確に説明、表示されている。
（図面の簡単な説明）
【００３６】
本発明は、以下の図面を参照して説明する：
図１は、本発明の好適な実施形態の表示装置から引き出しを完全に開き、上から見た斜視図である。
図２Ａは、図１に示した装置の引き出しを完全に閉め、下から見た斜視図である。
図２Ｂは、図２Ｂに示した表示装置のコントローラ枠をフレーム枠から取り除いた状態である。
図３は、図２Ａに示した表示装置を３−３に沿って切断した断面図である。
図４は、図１に示した表示装置に使用するイメージプリントの裏面の見本である。
図５は、図１に示した表示装置の電気系統のブロック略図である。
図６は、図１に示した表示装置の操作を示す論理フローチャートである。
図７は、本発明の表示装置のさらに好適な実施形態を上から見た斜視図である。
図８は、図７に示した本発明の好適な実施形態に使用するイメージプリントの裏面の見本である。
図９は、図７に示した本発明の表示装置の好適な実施形態の電気系統のブロック略図である。
図１０Ａ及び１０Ｂは、図７に示した本発明の表示装置の好適な実施形態の操作を表す論理フローチャートである。
図１１Ａから１１Ｄは、イメージプリントのインプリント手段を示しており、２番目に好適な本発明の実施形態の４つの構成の斜視図である。
図１２は、図１１Ａから１１Ｄ及び図１３に示した表示装置の電気系統のブロック略図である。
図１３は、発明の４番目に好適な実施形態の取り外し可能なカセットの斜視図である。
【００３７】
（符号の説明）
１８  表示装置
２０  フレーム枠
２１  プリントホルダー
２２  コントローラ枠
２３  コントローラ
２４  引き出し
２６  ビューアパーチャ
２８  側壁
３０  前壁
３２  底
３３  底開口
３４  スロット
３６  イメージプリントのスタック又はポートフォリオ
３８  スピーカ
４０  サポート面
４１  セパレータバー
４２  引き出しスイッチ
４３  操作レバー
４６  イメージプリントの裏面
４８  最後尾イメージプリント
４９  最前列イメージプリント
５２  スキャンウィンドウ
５４  コード化されたデータ
５６  ミラー
５８  イメージセンサ
５９  発光体
６０  光パス
６１  光パス
６６  人間が判読可能な情報
７２  プロセッサ
７４  不揮発性メモリ
７６  ランダムアクセスメモリ
７７  読み出し専用メモリ
７８  オーディオ  アンプ
８０  デジタル信号プロセッサ
８２  電池
９０  マイク
９２  記録スイッチ
９４  トランシーバ
９６  データ接続子
１００  ピクチャID(PID)
１１０  PID情報プロセスルーチン
１１２  オーディオ録音ルーチン
１１５  小型プリンタ
１２０  引き出しハンドル
１２４  入力スロット
１２６  出力スロット
１３０  イメージプリント
１３４  ポートフォリオ録音スイッチ
１４０  メモリスロット
１４２  記憶素子
１４４  ラベル
２２４  取り外し可能カセット
４４、５０、１３２、１３３、１５０  矢印
【００３８】
（用語）
以下は、次の説明に使用される用語の定義であり、本出願者による発明の理解を目的とする。
イメージプリント：最も一般的な形は写真プリントであるが、絵ハガキ、絵付きカード、フラッシュカード、図面や絵、レタリングなどのようなビジュアルイメージを取り込んで印刷したシートもある。
アノテーション：イメージプリントに関連する情報。アノテーションには、人間が判読可能な情報または機械読取可能データを含む。人間が判読可能な情報には、テキスト、手書き、図面や絵などを含む。記憶手段に格納される機械読取可能データには、音声データ、機械データ、テキストデータなどを含む。音声データには、人間のスピーチ、声、歌、音楽、動物の鳴き声、合成スピーチ、合成音などを含む。機械データにはバイナリデータ、機械命令などを含む。
オーディオデータ：デジタル保存や送信のためにデジタル化され、圧縮された音声データ。
コード化されたデータ：２次元のシンボルやシート印刷に実行される機械読取可能データ。
【００３９】
以下の本発明の実施形態に関する説明では、「上」、「底」、「上部」、「底部」、「下」、「裏面」などのようにさまざまな仕様に言及する。これらの記述子は、参照の枠組みを提供するのみであり、本明細書中の説明を限定するものではない。本発明では、イメージプリントを写真プリント、アノテーションを人間のスピーチや音声として言及しているが、用語定義で述べたようにイメージプリントやアノテーションの他の形態も本発明にて利用可能であることを理解されたい。
【発明を実施するための最良の形態】
【００４０】
第１の好適な実施形態の説明−図１から６
図１から６を参照しながら、本発明の１番目の好適な実施形態を詳細に説明するが、これにより、後述するさらに好適な実施形態の理解も容易になる。
【００４１】
図１に示すように、表示装置１８は、プリントホルダー２１とコントローラ２３の２つの主要部からなる。プリントホルダー２１は、透明なプラスチック材料で作成されるビューアパーチャ２６があるフレーム枠２０とフレーム枠２０にスライドできるようにかみ合わされた引き出し２４からなる。引き出し２４は、底３２、１組の側壁２８、側壁２８と接続している前壁３０、セパレータバー４１（図３に表示）からなる引き出し構造を持つひと続きのエレメントであることが好ましい。引き出し２４は、フレーム枠２０内の既定のスロット３４の内側を、矢印５０が示す方向にスライドしてかみ合うように作成する。引き出し２４は、セパレータバー４１上のストッパー（非表示）とフレーム枠２０の補完ストッパー（非表示）の範囲内でフレーム枠２０から引き出し可能である。引き出し２４は、ビューアパーチャ２６で表示するイメージプリントのスタック３６を下から支えられる大きさである。透明なプラスチック材料で作成されるビューアパーチャ２６は、イメージプリントのスタック３６から個々のイメージプリントを表示できる大きさである。フレーム枠２０と引き出し２４の構造に関する追加詳細は、Ｐ．アクレット（P. Ackeret）に発行され、後にリチンビスト株式会社（Licinvist, AG）に譲渡された米国特許第４，９３９，８６０号にて詳細に説明されており、本願明細書にも引用する。コントローラ２３は、コントローラ枠２２と枠内の部品を含む。オーディオスピーカ３８は、コントローラ枠２２の外部サポート面４０に取り付ける。コントローラ枠２２は、フレーム枠２０の底に取り付ける。フレーム枠２０とコントローラ枠２２はともに、プラスチックの注入成型により形成することが好ましい。
【００４２】
図２Ａは、表示装置１８の裏面図で、コントローラ２３、コントローラ枠２２、プリントホルダー２１、フレーム枠２０、完全に閉じた位置にある引き出し２４、フレーム枠２０内のスロット３４を示す。図２Ｂは、装置内部の光学部品を露出させるために、図２Ａの表示装置１８からコントローラ枠２２を取り外した状態を示す。コントローラ枠２２内部の光学部品には、イメージセンサ５８、スキャンウィンドウ５２上に既定角度で固定したミラー５６、スキャンウィンドウ５２の片端にある発光体５９、スキャンウィンドウ５２の反対側の端に取り付けたもう１つの同様の発光体（簡略化のため非表示）が含まれる。イメージセンサ５８には、ソリッドステートセンサと、焦点を合わせ、コード化されたデータのイメージ全体が光パス６０、６１を通って完全に表示されるために既定角度で取り付けられたレンズが含まれる。ミラー５６は、光の損失と２次屈折を最小限に抑えるため、表面あるいはトップ面反射タイプにする。発光体５９は、均一の光を、最後尾のイメージプリント４８の裏面４６（図３を参照）のコード化されたデータ５４にあてるために互いに接近して設置された発光ダイオード（LEDs）の列を含む。あるいは、発光体５９は、コード化したデータ５４に光をあてる機能を持った他の発光デバイスでもよい。引き出しスイッチ４２は、引き出し２４の開閉を感知できる位置に取り付ける。
【００４３】
ミラー５６は、表示装置１８の態様あるいは厚さを最小に保つために使用され、その結果、装置は片手で簡単に持つことができる。ミラー５６がなければ、光パス６０、６１と等間隔でスキャンウィンドウ５２のすぐ後ろにイメージセンサを設置する必要がある。厚さを抑える代わりの手段は、イメージスキャンの機能を果たすために、線形変換スキャン装置（非表示）をスキャンウィンドウ５２のすぐ上で使用する。そのような線形変換スキャン装置は、モーター付き移動キャリッジ（非表示）の上に取り付ける電荷結合デバイス（CCD）センサまたはコンタクトイメージセンサ（CIS）を用いる、デスクトップ型フラットベッドスキャナと同じ原理を基本にする。キャリッジが引き出し２４に取り付けられている場合（非表示）、ユーザによる引き出し２４の開閉動作がスキャンに必要な線形変換動作を達成するため、キャリッジの動力化は必要ない。これらのスキャン技術は、当業者には従来から知られている。さらなる代替方法としては、広角度レンズ（非表示）を使用してイメージセンサ５８をスキャンウィンドウ５２の隣に設置する方法がある。広角度レンズは球面の変形を招いてしまうが、演算アルゴリズムを適切に使用することによって、このような変形は修正できる。
【００４４】
図３は、図２Ａの表示装置１８を３−３に沿って切断した断面図である。この下向きの図では、引き出し２４はフレーム枠２０内に完全に入り込む。この位置にあるときに、引き出し構造の最も内側部分を形成するセパレータバー４１は引き出しスイッチ４２の操作レバー４３にはめ込まれる。操作レバー４３は、セパレータバー４１に対して矢印４４が示す方向にバネ仕掛けで入れられる。図３に示すように、引き出し２４がフレーム枠２０に完全に入り込んだ状態にある場合、引き出し４２は電気的に開く。図１に示すように、引き出し２４がフレーム枠２０から外れている場合、引き出しスイッチ４２は電気的に閉じられるか、またはスイッチが入る。イメージプリントのスタック３６を引き出し２４の中に入れる。最前列のイメージプリント４９がビューアパーチャ２６から見える。最後尾のイメージプリント４８の裏面４６にインプリントされているコード化されたデータ５４が、引き出し２４の底３２にある開口３３からスキャンウィンドウ５２を通ってミラー５６に露出される。フレーム枠２０の内側に付けられているコントローラ枠２２は、規定角度で表面反射ミラー５６を支える。
【００４５】
要約すると、ここに説明した光学素子により、コード化されたデータ５４のイメージは、光パス６０、６１に沿って運ばれる。まず、引き出し２４の底３２の開口３３を通過し、次にスキャンウィンドウ５２を通過して、その後、表面反射ミラー５６で反射され、最終的にイメージセンサ５８に到達する。
【００４６】
図４は、イメージプリントの裏面４６の典型的なインプリントを示す。オーディオデータを含むコード化されたデータ５４とともに、人間が判読可能な情報６６は、イメージプリントのスタック３６の各イメージプリントのほぼ同じ位置に配置される。厳密には、イメージプリントが引き出し２４の底にあり、引き出し２４がフレーム枠２０に完全に入り込んでいるとき、コード化されたデータ５４は、イメージプリント上のスキャンウィンドウ５２内のちょうど中央に配置される。コード化されたデータ５４のフォーマットは、以下に詳細を述べるが、デジタル化した人間のスピーチを保持できる容量を持った２次元コードの形態をとる。コードフォーマットは米国マサチューセッツ州レキシントンのコブルストンソフトウェア（Cobbleston Software）社販売のPaperDiskTMフォーマットが好ましい。PaperDiskTMコードフォーマットの例は、図４のコード化されたデータ５４に示す。あるいは、従来、当業者に知られているAztecCode, SuperCode, Datamatrix, QRCodeのような２次元の高密度バーコードフォーマットも使用できる。コード化されたデータ５４は、一般的に、最低２０００バイトを保持するが、好ましくは最低４０００バイト、最適なのは、最低約６０００バイトのデジタル情報を保持することである。インプリントプロセスは、家庭でコンピュータ、プリンタ、既定のソフトウェアを使用するか、あるいは、写真現像店での写真プリント仕上げプロセスの１つのステップとして実行する。コード化されたデータ５４は、イメージプリントの裏面４６に印刷デバイス（非表示）によって直接インプリントするか、あるいは、まず、貼付ラベル（非表示）にインプリントし、その後イメージプリントの裏面４６に貼り付けることにより、裏面４６と一体化させる。さらに、コード化されたデータ５４が可視、あるいは裸眼で識別可能な場合、インプリントする必要はない。コード化されたデータ５４は、およそ４００から７００ナノメートルとされる可視波長範囲内外のインクまたは染料でインプリントすることもできる。このような場合、イメージセンサ５８は、選択した波長に反応する必要があり、対応する波長を励起するために必ず発光体５９を選択せねばならない。
【００４７】
図５は、コントローラ枠２２内に含まれるコントローラ２３の主要電気系統を示す。電池８２がコントローラ２３に必要な電力をすべて供給する。プロセッサ７２は、オーディオデータのスキャン、解読、再生のタスクを全体的に調整する。プロセッサ７２には低コストの８ビットあるいは１６ビットの小型プロセッサが適しているが、中でもインテルや他の会社が製造する80C51系、あるいはその派生商品が最適である。引き出し２４の開閉を感知するために設置された引き出しスイッチ４２は、スイッチが入れられた時にプロセッサ７２に対してパワーアップ及び開始信号を送るように、プロセッサ７２と相互接続されている。引き出しスイッチ４２を切ってもプロセッサ７２はパワーダウンモードに戻らないが、プロセッサ７２の電源が入った状態で引き出しスイッチ４２を再度入れると、プロセッサ７２は強制的に最初から再スタートする。
【００４８】
プロセッサ７２がパワーダウンモードに入る時、不揮発性メモリ７４がデータを獲得する手段を提供する。２つの特定のイメージプリントに関連付けられたオーディオデータを保持するため、以下の２つの個別メモリエリアが不揮発性メモリ７４内部に論理的に割り当てられる：現在最後尾にあるイメージプリント４８（図３を参照）と関連付けられたオーディオデータを保持するエリアＢ（非表示）と、現在最前列にあるイメージプリント４９（図３を参照）に関連付けられたオーディオデータを保持するエリアＴ（非表示）。最前列にあるイメージプリント４９は、ビューアパーチャ２６に表示されているプリントである。ランダムアクセスメモリ（RAM）７６は、プロセッサ７２が一時的に使用するメモリを提供する。不揮発性メモリ７４とは異なり、ランダムアクセスメモリ７６の内容は、プロセッサ７２がパワーダウンモードに入ると失われる。読み出し専用メモリ（ROM）７７は、コード化されたデータ５４の解読を行うアルゴリズムなどのプロセッサ７２により実行されるマシンコードのルーチンを格納する。
【００４９】
発光体５９は、コード化されたデータ５４に均一の光をあてられるように、互いに接近させて設置された発光ダイオード（LED）の列を含む。プロセッサ７２の調整により、イメージセンサ５８がコード化されたデータ５４のイメージをスキャンウィンドウ５２からスキャンしているときに、発光体５９が活性化される。プロセッサ７２は、電池８２を節約するため、使用中以外は発光体５９の電源を切る。あるいは、発光体５９の代わりに、コード化されたデータ５４に光をあてる機能を持つ他の発光体デバイスを用いてもよい。イメージセンサ５８は、ソリッドステートセンサと規定角度に設定されたレンズを含み、焦点の合致と、コード化されたデータ５４のイメージのほぼ完全な表示が光パス６０、６１を通して達成されるようになっている。ソリッドステートセンサには、カリフォルニア州サニービルのオムニビジョンテクノロジー社製造のOV7110センサが適している。OV7110は、ビデオデータに直接外部アクセスできるデジタル出力ラインと６４４×４８４ピクセルの解像度を持つ、低コストモノクロシングルチップCMOSセンサである。プロセッサ７２がコード化されたデータ５４を解読する間に、イメージセンサ５８がスキャンしてコード化したデータ５４のイメージは、ランダムアクセスメモリ７６に格納される。
【００５０】
デジタル信号プロセッサ（DSP）８０は、オーディオの圧縮・解凍を行うコーデック（コーダ／デコーダ）、及び、アナログ・デジタル／デジタル・アナログ（A/D-D/A）変換器を含む。コーデックは、米国メリーランド州ロックビルのサイバネテックス・インフォテック（Cybernetics Infotech）社製造のASM100 Vocoderモジュールに実装されているCybit ASC101A低速オーディオコーダを基本とするチップセットソリューションが適している。これらは業界標準では超低速のオーディオビットである。例えば、電話音声のコーデックは一般的に、８ビット解像度では１秒あたり８０００サンプルを処理するが、これは、オーディオビット速度では１秒あたり６４キロビットに等しい。ご存知のように、低速オーディオビットはオーディオ品質の低下を意味する。しかし、１秒あたり２．０キロビットであるASC101Aは平均オピニオン評点（MOS）では３．２という高品質通信を実現している。平均オピニオン評点は、音声通信システムや製品の一般的な満足度や品質を決定するため、通信業界で開発された。評価者は、スピーチ／オーディオサンプルの品質全般について次の５段階評価基準の中から各段階に割り当てられたポイントで評価する：５−優秀、４−良、３−普通、２−やや不良、１−不良
【００５１】
A/D-D/A変換器は、従来から知られているが、テキサスインスツルメンツのTLC320AD50チップまたは同等品が適している。解凍されたオーディオデータは、D/A変換器により本来のオーディオの形であるアナログ信号へ変換される。このアナログ信号は、次に、増幅のためオーディオアンプ７８へ送られ、その後、音声再生のためにスピーカ３８へ送られるが、これらのデバイスは共に従来から知られている。これらの説明から、オーディオデータの解凍機能を持った他のデバイスも使用可能であることは明確である；例えば、テキサスインスツルメンツ社製TM320C54Xデジタル信号プロセッサのような他の集積回路（IC）チップも、従来から知られている多くのマルチIC部設計案に加えて有用である。これらのチップセットのうち、いくつかの機能をカスタムLSIの形で単独チップに統合することも考えられる。あるいは、オーディオの圧縮・解凍もすべてプロセッサ７２が実行するソフトウェアアルゴリズムに実装可能である。
【００５２】
プリントホルダー２１とコントローラ２３の主要機能の説明が終了したので、次に、イメージセンサ５８の解像度、コードフォーマット、デジタル信号プロセッサ８０のオーバーヘッド、オーディオデータ速度など、オーディオデータ容量に影響を与える原因について記述する。
【００５３】
上記の６４４×４８４ピクセル解像度を持つ好適なイメージセンサ５８を使用すると、イメージセンサ５８にて解読可能なデータの最大量は、コード化されたデータ５４の各データ特性が対応するイメージセンサ５８のピクセルに正確にマップされており、各データ特性がバイナリ値であると仮定した場合、理論上は３１１、６９６ビット、または３８，９６２バイトとなる。現実には、各コード形式は多くの現実世界の条件を満たさねばならず、また、コード自体の特定と解読に必要なオーバーヘッド情報を持っている必要があるため、この理想的データ量は獲得されないであろう。先述した好適なPaperDiskTMコードフォーマットを使用した時に、理論上の最大量を減少させる原因のいくつかを以下に挙げる：（ａ）説明したシステムの光学とイメージセンサ５８により引き起こされる歪みと不正確さ；（ｂ）コード化されたデータ５４とイメージセンサ５８のビュー範囲の不整列；（ｃ）歪みがある場合などに、データ特性をイメージセンサピクセルにマップすることで生じる量子化誤差；（ｄ）コード化されたデータ５４に物理的損傷があった場合に、データリカバリを実行するためのビルトインエラー修正コード（ECC）のオーバーヘッド；（ｅ）解読を容易にする、コードフォーマットの中の特定マーカーのオーバーヘッドなどがある。現実には、これらの要因が組み合わさった結果、理論上の容量は約１０分の１に減少する。したがって、理論上の最大量である３８，９６２バイトは、実質的には約３，８９６バイトになる。このデータ量は、上記イメージセンサ５８とPaperDiskTMコードフォーマットを使用した時に、イメージプリントの裏にコード化できる、実質的なオーディオデータ量である。３，８９６バイトのデータ量を基に、前記した好適なデジタル信号プロセッサ８０を使用した場合のオーディオデータ速度とオーディオ録音時間の関係を表１に示す。
【００５４】
【表１】
2004524757.tif 000003
【００５５】
表１で示したように、オーディオの品質と録音時間は必要に応じてトレード・オフされる。以下に記述するコード化ソフトウェアによってこの最適化が自動的に行われることが好ましく、よって、希望の録音時間に見合ったオーディオ最高速度が自動的に選択される。２．０キロビット／秒（平均オピニオン評点３．２の通信状態）以上のオーディオデータ速度を使用し、オーディオメッセージの長さは１つのイメージプリントあたり最短でも１５秒となることが好ましい。
【００５６】
１５秒を超えるオーディオ録音時間は以下の手段（非表示）によって達成される：（ａ）精度を高め、変形を減らすために光学部品を最適化する；（ｂ）より高いピクセル解像度を持ったイメージセンサを使用する。例えば、１０２４×７６８ピクセルのイメージセンサを使用すれば、イメージセンサの容量は、上記の好適なイメージセンサ５８のデータ量の２．５倍に増える；（ｃ）異なるレベルのグレイあるいはその他の色素をカラーイメージセンサで使用して、バイナリ値より大きい値を表すために各データ特性を使用する；（ｄ）データ容量を本質的に倍増させるために、可視と不可視両方のインクまたは染料を使用してコード化されたデータ５４をインプリントする；（ｅ）コード化されたデータ容量を本質的に倍増させるため、異なる波長で複数のコード化を使用する。例えば、１つのコード化されたデータを赤に、もう１つのデータを緑にし、適切なフィルタを使用してコード化されたそれぞれのデータを読み込む；（ｆ）より高密度容量のコードフォーマットを使用する；（ｇ）MOSより高い圧縮度のコーデックを使用する、など。
【００５７】
第１の好適な実施形態の操作−図１から６
まず、プリントホルダー２１の操作を、図１−３を参照して説明する。使用前の準備として、まず、プリントホルダー２１を使用する前に、イメージプリントのスタック３６を縦にして引き出し２４に入れるが、これらは前壁３０、側壁２８、底３２及びセパレータバー４１によりサポートされている。この操作説明では、スピーチをコード化したデータ５４が各イメージプリントの裏面４６にインプリントされているとする。次に、イメージプリント３６を入れた引き出し２４を矢印５０が示す方向に向かってスロット３４からフレーム枠２０内に押し込む。これにより、プリントホルダー２１は、以下のように、引き出し２４に入れたイメージプリントのスタック３６をビューアパーチャ２６で１つずつ連続して表示することができるようになる：
【００５８】
前記のように、引き出し２４をフレーム枠２０から外す、あるいはストッパー（非表示）で止まるまで引き出したとき、スタック３６の最後尾イメージプリント４８はセパレータバーによってスタック３６の残りから分離される。スタック３６の残りは、セパレータバー４１にぶつかり、そのまま引き出し内部に残るが、分離したイメージプリントはフレーム枠２０にとどまり、ビューアパーチャ２６の中心へ導かれて表示される。引き出し２４を入れ込む、あるいは矢印５０の示す方向に向かってフレーム枠２０内に押し戻すと、表示されるプリントは、ビューアパーチャ２６に対して中央の位置のまま、スタック３６の上に位置を変える。要約すると、引き出し２４をフレーム枠２０に出し入れする各サイクルの間、つまり、引き出し２４をフレーム枠２０から完全に引き出し、再びフレーム枠に完全に戻す間に、１つのイメージプリントがスタック３６の最後尾から取り除かれ、スタック３６の最前列へ返される。以下、簡略化のため、引き出し２４をフレーム枠２０からストッパーで止まるまで引き出すことを完全に「開く」、引き出し２４をフレーム枠２０へ完全に入るまで押し込むことを完全に「閉める」、２つの連続した動作の組み合わせを完全に「開閉する」と言う。説明したデバイスの構造、特に分離と保持手段を含むプリントの送り機能の詳細は、１９９０年７月１０日にP．アクレット（P．Ackeret）に発行され、リチンビスト株式会社（Licinvist、AG）社に譲渡された米国特許第４，９３９，８６０号にて説明されている。
【００５９】
上記で参照した特許の詳細にて説明されたプリントホルダー２１は、イメージプリントのスタックを保持し、ビューするためにスタックの各プリントを順番に進める手段を提供する。しかしながら、プリントを保持し、前に進めることができる他のデバイスも本発明に有用であり、特に、前記の構造の代わりになることは以下の説明から理解できる。
【００６０】
表示装置１８の操作全体については、図１−６、特に図６の論理フローチャートを参照しながら説明する。図６に示したすべてのメモリエリアは、不揮発性メモリ７４内に置かれるので、パワーダウンによるデータ損失は発生しない。
【００６１】
コントローラ２３は、電池８２を節約するために、通常ではパワーダウンモードにある。ユーザが引き出し２４を開くと、引き出しスイッチ４２が入り、プロセッサ７２が開始する。プロセッサ７２は、引き出し２４が再び閉じられ、引き出しスイッチ４２が切れるまで待機している。引き出しスイッチ４２が連続して入っている時間は、プロセッサ７２により測定され、表示装置１８の２つの操作モードに関連する：１番目は、イメージプリント３６を送ることなく、ビューアパーチャ２６に表示されているイメージプリント４９に関連付けられたオーディオデータを再生し、次に、イメージプリントを前に進め、最後にビューアパーチャ２６に新しく表示されたイメージプリント４９のオーディオデータを再生する。
【００６２】
ビューアパーチャ２６に表示されているイメージプリント４９に関連付けられたオーディオデータを再生するためには、ユーザは引き出しスイッチ４２が入るところまで引き出し２４を開き、その後、すぐに引き出し２４を閉じる。プリントホルダー２１特有の設計により、この引き出し２４の中途開閉で引き出しスイッチ４２が一瞬（１秒未満が好ましい）入るものの、イメージプリントの前送りは発生しない。
【００６３】
イメージプリントを前送りしてビューアパーチャ２６に新しく表示されたイメージプリントのオーディオデータを再生するには、ユーザは引き出し２４の完全な開閉を行う。イメージプリントの前送りに必要な完全な開閉動作は、引き出し２４の上記の中途開閉動作よりやや長い時間、できれば１秒以上が好ましい。
【００６４】
１番目の引き出し２４の中途開閉動作では、引き出しスイッチ４２が１秒未満入ると、プロセッサ７２が、不揮発メモリのエリアＴにて、ビューアパーチャ２６の最前列イメージプリント４９に対応するオーディオデータを探す。見つかった場合、プロセッサ７２は、オーディオ再生のためにこのオーディオデータをデジタル信号プロセッサ８０に送る。データが見つからない場合、動作は実行されない。どちらの場合も、一旦完了すると、プロセッサ７２はパワーダウンモードに入る。
【００６５】
２番目の引き出し２４の完全開閉の間に、引き出しスイッチ４２は１秒以上入った状態になり、スタック３６の最後尾イメージプリント４８がビューアパーチャ２６下のスタック３６の最前列イメージ４９になった時、プロセッサ７２は、ビューアパーチャ２６下の最前列イメージプリント４９とプリントに関連付けられたオーディオデータの間の正しい関係を保つために、エリアＢで見つかったオーディオデータをすべてエリアＴへ移動させる。最前列のイメージプリント４９がビューアパーチャ２６の下に表示されている場合、イメージセンサ５８は最後尾のイメージプリント４８からコード化されたデータ５４をいつもスキャンすることから、プロセッサ７２はイメージプリントが前に送られるたびにエリアＢのオーディオデータをエリアＴへ移動させて同期化を保持せねばならない。その後、プロセッサ７２が発光体５９をオンにして、イメージセンサ５８がスキャンウィンドウ５２から見えるコード化されたデータ５４のイメージスキャンを実行する。スキャンされたイメージは、プロセッサ７２により解読され、得られたオーディオデータはエリアＢに格納される；このオーディオデータは、スタック３６の最後尾イメージプリントに属するため、すぐには再生されない。次に、プロセッサ７２はエリアＴで現在ビューアパーチャ２６の下にある最前列のイメージプリント４９に属するオーディオデータを探す。オーディオデータがエリアＴに見つかった場合、プロセッサ７２はオーディオ再生のために、データをデジタル信号プロセッサ８０に送る。見つからない場合、タスクは実行されない。どちらの場合も、完了後には、プロセッサ７２はパワーダウンモードに入る。
【００６６】
上記説明においては、操作モードは引き出しスイッチ４２が入っていた時間によって決定される。代わりに、ストッパー（図１で説明されるが、非表示）に設置した２番目のスイッチ（非表示）を使用できる。この２番目のスイッチが入るのは、引き出し２４がフレーム枠２０から完全に外される時に限られる。２番目のスイッチと引き出しスイッチ４２の両方が入っている場合、ユーザが次のイメージプリントに進んだことを示している。操作モードを感知する方法に関しては、光、磁気、音声認識、あるいはこれらに限定されない他の方法も使用可能である。
【００６７】
図６は、イメージプリントの裏面４６にすでにコード化されているオーディオデータの再生プロセスを示す。次にオーディオ録音とコード化されたデータ５４をイメージプリントにインプリントするステップを説明する。以下のステップに必要な追加の機器とソフトウェアについては、説明はされているが、図には示されていない。
【００６８】
オーディオ録音には、マイク付きコンピュータ、プリンタ、既定のオーディオ録音とコード化ソフトウェアが必要である。前記の米国メリーランド州ロックビルのサイバネテックス・インフォテック社のオーディオ圧縮アルゴリズムを基本にしたオーディオ録音ソフトウェアが適当である。サイバネテックス社はANSICコード、１６ビット固定ポイントCコードまたはウィンドウ９５／NTDLL（ダイナミックリンクライブラリ）で用いられているようなアルゴリズムを供給している。オーディオ録音ソフトウェアが、特定のオーディオ録音時間に適したオーディオデータ最高速度を自動的に選択して、オーディオの品質を最適化することが好ましい。オーディオデータのコード化は、前記の米国マサチューセッツ州レキシントンのコブルストンソフトウェア社のPaperDiskTMソフトウェアを基本にすることが好ましい。PaperDiskTMソフトウェアはＰＣ互換、３８６以上、ウィンドウズ３．１（登録商標）またはウィンドウズ９５（登録商標）で使用できる。
【００６９】
図４を用いた前記の説明のように、インプリントプロセスは、ユーザがコンピュータ、プリンタ、既定のソフトウェアを使用するか、または写真現像店の写真仕上げプロセスの１ステップとして実行される。ユーザがインプリントを実行する場合、上記既定のソフトウェアを使用して実行するイメージプリントの簡単なステップを以下に挙げる：（ａ）イメージプリントにインプリントするテキスト情報をコンピュータに入力する、（ｂ）イメージプリントに付けるオーディオメッセージをマイクからコンピュータに録音する、（ｃ）対応するイメージプリントをプリンタに置いて、裏面にコード化されたデータ５４のインプリント印刷を開始する。図４は典型的な出力例を示す。イメージプリントの裏面４６へ直接インプリントする場合、米国カリフォルニア州サンホセのアルプス・エレクトリック（米国）社製造のアルプスMicroDryTM MD−２０１０プリンタのような樹脂インキ熱転写プリンタ技術を用いることが好ましい。直接インプリントする代わりに、まず、コード化したデータ５４をレーザープリンタあるいはインクジェットプリンタを用いて貼付ラベルにインプリントしてもよい。その後ラベルをイメージプリントの裏面４６に貼り付ける。
【００７０】
インプリントが、写真現像店における写真プリントの仕上げプロセスの１ステップとして実行された場合、ユーザは、人間が判読可能な情報を示すデータ、及び、画像イメージデータと一緒にするオーディオデータの関係を示すデータを写真現像店に送る必要がある。以下に簡単なステップを述べる：（ａ）イメージプリントのテキスト情報をコンピュータに入力する、（ｂ）イメージプリントのオーディオメッセージをマイクからコンピュータに録音する、（ｃ）各イメージプリントの特定のテキストデータ、オーディオデータ、イメージデータを写真現像店へ送る。これらのデータは、磁気媒体、光媒体、ソリッドステートメモリデバイスなどのような従来の記憶媒体により物理的、あるいは、電子メール、FTP、インターネットなどを用いて電子的に運ばれる。コード化されたデータ５４をインプリントするこのアプローチは、特にデジタルカメラでオリジナル画像を撮影する時に適用できる。また、写真現像店がこのようなインプリントサービスを顧客に提供する場合も、機器やソフトウェアはほとんど必要ない。
【００７１】
さらに好適な実施形態の説明−図７から１０
本発明のさらに好適な実施形態を詳細に説明する。このさらに好適な実施形態には、第１の好適な実施形態の全ての特徴に加えて、表示装置１８でオーディオ録音を可能にする機能、イメージプリントに関連付けるオーディオを録音する機能、コード化したデータ５４をインプリントするためにオーディオデータを外部デバイスへ転送する機能、などの特徴が含まれる。
【００７２】
図７のマイク９０、オーディオ録音を開始する録音スイッチ９２、外部デバイス（非表示）と無線通信するトランシーバ９４、外部デバイス（非表示）と有線通信するデータ接続子９６は、コントローラ枠２２の外部サポート表面４０に取り付けられた上記の追加部品を示す。トランシーバ９４は業界標準のIrDA（赤外線通信）シリアルプロトコル技術を用いることが好ましい。データ接続子９６は、外部デバイスへの有線接続を提供するが、シリアルインターフェース経由が好ましい。
【００７３】
図８は、イメージプリント裏面４６の典型的なレイアウト例を示し、このさらに好適な実施形態におけるアノテーションプロセスの最初のステップを示している。ユーザは固有の画像特定マーク（「PID」）１００を指定してイメージプリントの裏面４６に手書きする。PID１００は、プロセッサ７２による解読を容易にするため、英数３文字に限ることが好ましい。PID１００は、引き出し２４の底にある最後尾のイメージプリント４８で、且つ引き出し２４がフレーム枠２０に完全に入っている場合にスキャンウィンドウ５２のほぼ中央にくるイメージプリントの裏面４６に書かれる。PID１００は、イメージプリントに対応するオーディオデータに一時的に関連付けるためだけに使用され、コード化されたデータ５４のインプリント後には必要ではなくなるので、容易に消去できることが好ましい。容易に消去できる記録装置は多数販売されている。一例は、ペンのインクを鉛筆同様に消去できる、PaperMateTMが製造するErasemateTMペンである。あるいは、PID１００を取り外し可能な貼付ラベルに手書きして、イメージプリントの裏面４６へ貼り付ける。その後、コード化されたデータ５４をインプリントする前にラベルを取り外す。
【００７４】
図９は、本発明のさらに好適な実施形態におけるコントローラ２３の追加電気部品である従来の超小型タイプが適当であるマイク９０、オーディオ録音を開始する記録スイッチ９２、外部デバイス（非表示）と無線通信するトランシーバ９４、外部デバイス（非表示）と有線通信するデータ接続子９６を示す。マイク９０からのアナログ信号はまず、デジタル信号プロセッサ８０のA/D機能によりデジタルフォーマットに変換され、デジタル信号プロセッサ８０のコーデックによりオーディオデータへ圧縮される。業界標準IrDA（赤外線通信）シリアルプロトコル技術を用いたトランシーバ９４が好ましいが、RF受信器と送信器１組、あるいは他の有名な無線通信デバイスとプロトコールを含む場合もある。データ接続子９６は、外部デバイスとの有線接続を提供し、できればシリアルインターフェース経由が好ましいが、パラレル、または、デジタルデータ転送が可能な他の適当な入出力インターフェースでもよい。
【００７５】
不揮発性メモリ７４は、上記の１番目に好適な実施形態の説明に加えて追加のメモリ割り当てを持つ。カタログ（非表示）情報を保持するため、別の記憶エリアが不揮発性メモリ７４内に論理的に割り当てられる。このカタログは、以下の２つのフィールドから成るエントリのリストである：PID１００とPIDアドレス（非表示）。PIDアドレスは、PID１００に対応するオーディオデータを格納するために、不揮発性メモリ７４のあるエリアを指す。カタログは、最新のPIDエントリ１００を一定数保存することにより、常時ファイフォ（FIFO）ベースで実装される。
【００７６】
プロセッサ７２は、手書きの解読とスピーチ合成という追加機能を持つ。手書き解読の機能は、光文字認識（OCR）、より正確には、手書き認識（HWR）として一般に知られるプロセスにより実行される。手書き認識のアルゴリズムは多くの市販ソースに見られる。本出願人は、米国ユタ州ソルトレークシティのフォニックス（Fonix）社のアレグロ（Allegro）手書き認識システムが特に有用であると考える。このようなアルゴリズムは、読み出し専用メモリ７７に組み込まれている。PID１００は、解読を容易にするために、英数３文字に制限することが好ましい。あるいは、PID１００は、便宜をはかるために可変長の英数文字を含んでいてもよい。合成スピーチ機能は、テキストの形で入力されたデータを人間が認識可能なスピーチへと合成するテキスト・ツー・スピーチと呼ばれるアルゴリズムにより実行される。テキスト・ツー・スピーチのアルゴリズムは数多く市販されており、当業者には従来から知られている。このようなアルゴリズムは読み出し専用メモリ７７にも組み込まれる。
【００７７】
さらに好適な実施形態の操作−図１０Ａから１０Ｂ
本発明のさらに好適な実施形態には、第１の好適な実施形態の機能すべてに加え、オーディオ録音、オーディオ録音のイメージプリントへの関連付け、及びコード化されたデータ５４のインプリントに必要なオーディオデータの外部デバイスへの転送などの追加機能が組み込まれている。このさらに好適な実施形態におけるオーディオ録音は表示装置１８を用いて直接行われるが、第１の好適な実施形態におけるオーディオ録音の実施には、アノテーション過程において独立したコンピュータの使用が必要である。つまり、このさらに好適な実施形態では、どこでもオーディオ録音ができるという長所がある。コンピュータとプリンタが必要になるのは、コード化されたデータ５４をイメージプリントにインプリントする時のみである。
【００７８】
まず、表示装置１８を使用するオーディオ録音に関する説明をし、続いてコード化されたデータ５４のイメージプリント上へのインプリントについて説明する。
【００７９】
図１０Ａと１０Ｂはこのさらに好適な実施形態の論理的フローチャートである。比較すると、このさらに好適な実施形態の論理フローは、第１の好適な実施形態の論理フローに以下の２つのルーチンを追加したものである：PID１００情報のプロセスルーチン１１０とオーディオ録音ルーチン１１２。他のプロセスは第１の好適な実施形態と同一である。追加されたルーチン１１０と１１２について説明する。図１０に示したすべてのメモリエリアは不揮発性メモリ７４内部に置かれるのでパワーダウンによるデータ損失は発生しない。
【００８０】
イメージプリントのスタック３６を表示装置１８へ入れる前にユーザは固有のPID１００を各イメージプリントの裏面４６に手書きで記入する。これら独自のPID１００は、本発明ではオーディオ録音を各イメージプリントに関連付けるために使用される。PID１００は、引き出し２４の最後尾のイメージプリント４８で、且つ引き出し２４がフレーム枠２０に完全に入っている場合にスキャンウィンドウ５２のほぼ中央にくるイメージプリントの裏面４６に書かれる。PID１００は英数３文字に制限し、使用後に容易に除去できることが好ましい。
【００８１】
上記イメージプリントのスタック３６を引き出し２４に入れたとする。図１０Ａについて説明すると、ルーチン１１０の入力は、解読済みデータにPID１００が含まれていると判断されたときに開始される。イメージプリント３６の新しいスタックを開始したので、最後尾のイメージプリント４８のPID１００はカタログにはない。したがって、このPID１００と対応するPIDアドレスがカタログに追加される。PID１００自体も不揮発性メモリ７４のエリアＢに格納される。次に何が発生するかを理解するには、最後尾のイメージプリント４８が前へ送られ、最前列のイメージプリント４９になることを考慮に入れる。この時、エリアＢの内容はエリアＴへ移動する。次に、図１０Ｂについて説明すると、ルーチン１１２の入力は、エリアＴにPID１００が含まれていると判断されたときに開始される。エリアＴのPID１００はスピーカ３８からアナウンスされるので、ユーザは、現在ビューアパーチャ２６で表示されている最前列イメージプリント４９の識別情報をオーディオによって確認できる。アナウンスは、テキスト・ツー・スピーチのアルゴリズムとデジタル信号プロセッサ８０により作成された合成スピーチの形である。各英数字は、図８に示したPID１００の例では、「ダブリュ、ツー、セブン」のように１文字ずつアナウンスされる。プロセッサ７２は、ユーザが最前列のイメージプリント４９に対するオーディオを録音するために録音スイッチ９２を入れるまで待機している。録音スイッチ９２が入っている間、プロセッサ７２は、PID１００に対応するPIDアドレス及びエリアＴにオーディオデータを格納する。録音スイッチ９２が切れると、プロセッサ７２は、ユーザ確認のためにエリアＴに格納したオーディオデータをスピーカ３８から再生する。オーディオ再生後、ユーザが満足しない場合は、録音スイッチ９２をもう一度押してプロセスを繰り返すことにより、新しい録音が作成される。タイムアウト機能があり、録音スイッチ９２がアイドル状態のまま、あるいは、既定時間（３０秒が好ましい）スイッチが入れられていない場合、ユーザに録音の意思がない、あるいはこれ以上の録音の修正はないと判断し、プロセッサ７２がパワーダウンモードに入る。ルーチン１１２からわかるように、録音スイッチ９２が一度タイムアウトしてしまうと、既存のオーディオ録音は修正できない。このような機能は、簡略化のためフローチャートからは省略した。録音の開始や停止を実施する他の代替モードも可能である。例えば、録音スイッチ９２を入れるとユーザにオーディオ録音を作成する一定時間が与えられたり、録音スイッチ９２を１度入れるとオーディオ録音が開始され、もう１度入れると停止したりする機能などがある。
【００８２】
上記の説明では、PID１００が当初はカタログに存在していなかった場合について述べた。PID１００がカタログ（図１０Ａルーチン１１０を参照）に既に存在している場合、プロセッサ７２は、PID１００に対応するPIDアドレスがオーディオデータを持っているかどうかをチェックする。オーディオデータが見つかった場合、ユーザがこのイメージプリントに対するオーディオを既に録音したことを意味するので、プロセッサ７２はこのオーディオデータをエリアＢにコピーする。論理フローチャートの残りのステップは、このイメージプリントがスタック３６の最前列のイメージプリント４９へ送られた時に、当該のオーディオデータが再生されることを示している。オーディオデータが見つからない場合、ユーザがまだこのイメージプリントに対するオーディオを録音していないことを意味するので、プロセッサ７２がPID１００をエリアＢに格納し、ユーザは、前記した方法と同様の方法でこのイメージプリントに対するオーディオを録音することができる。
【００８３】
スタック３６の各イメージプリントに対して上記プロセスを完了した後、各イメージプリントに関連付けられたオーディオ録音は、表示装置１８の不揮発性メモリ７４に格納される。次のステップでは、イメージプリントの裏面４６にコード化されたデータ５４をインプリントする。
【００８４】
トランシーバ９４が、無線通信手段によってPID１００及びそれらに関連付けられたデータを表示装置１８の不揮発性メモリ７４からコンピュータへ転送し、物理的リンクの必要性を排除することが好ましい。無線リンクがなく、有線手段によりデータを転送するには、データ接続子９６が使用される。コンピュータの既定ソフトウェアを起動してデータ転送を開始する。PID１００及びそれらに関連付けられたオーディオデータがコンピュータへ転送されると、残りのインプリントプロセスは、１番目の好適な実施形態に関して上記で説明したプロセスと同じである。唯一の例外は、関連付けられたオーディオデータがイメージプリントの裏面４６にコード化されるとPIDは必要なくなるため、コード化されたデータ５４のインプリントのためにイメージプリントをプリンタに入れる直前に、PID１００が除去される点である。
【００８５】
図１０Ｂのルーチン１１２では、デジタル信号プロセッサ８０がオーディオデータの最高速度でオーディオを録音することが好ましい。その後、コード化されたデータ５４をイメージプリントの裏面４６にインプリントする前に、関連付けられたオーディオ録音時間に適したオーディオデータ最高速度をコンピュータのソフトウェアが選択するので、コード化されたデータ５４のオーディオ品質は最高になる。
【００８６】
PID１００は、正しく対応しているイメージプリントにコード化されたデータ５４をインプリントするという最終目的を達成するための一時的なマークであり、ユーザは、イメージプリントにコード化されたデータ５４をインプリントすることなく、PID１００を自由に用いて表示装置１８を操作することも可能である。このような使用は、不揮発性メモリ７４のオーディオ録音記憶容量にのみ制限される。
【００８７】
追加の好適な実施形態
追加の好適な実施形態を以下に説明するが、添付図面には示されていない。
もう１つの好適な実施形態において、コントローラ２３の部品が納められたコントローラ枠２２は、フレーム枠２０に取り外し可能なように取り付ける。コントローラ枠２２をフレーム枠２０から取り外す時に、この内蔵型コントローラ２３は、プリントが写真アルバムに入れられていても写真プリントのコード化されたデータ５４をスキャンして再生できるが、これは、コントローラ２３の光学部品が写真プリントの裏面４６に完全にアクセスできるからである。この実施形態では、コントローラ２３は写真プリントの裏面４６に向けられているが、再生スイッチ（非表示）が入ると、コントローラ２３がイメージをスキャンし、コード化されたデータ５４を解読し、解読済みオーディオデータを再生する。本発明のこの実施形態は、イメージプリントと関連付けられたオーディオ録音のみにとどまらず、オーディオ以外のデータを印刷紙から手のひらサイズの電子デバイスへ転送するなど幅広く応用できる。
【００８８】
さらにもう１つの好適な実施形態では、取り外し可能なようにコントローラ２３に取り付けられている不揮発性メモリ７４をコントローラ枠２２から物理的に取り外し、コンピュータや他のインプリントデバイスに挿入してコンピュータへのデータ転送を開始することが可能である。また、この場合、メモリが「一杯」になった時はいつも、不揮発性メモリ素子７４を切り離して他の不揮発性メモリ素子７４に交換するだけで、他のイメージプリントのアノテーションを続けることができ、大量のアノテーションを１度に完了できるという長所もある。
【００８９】
さらにもう１つの実施形態では、コード化されたデータ５４にオーディオデータではなくテキストデータを含ませることもできるが、その際、テキストデータは、テキスト・ツー・スピーチ変換により合成スピーチとして再生される。この仕様には、人間のスピーチのデジタル化に比べて長いオーディオ再生が可能になるという長所がある。この実施形態では、子供の物語本の各絵付きカードに長いナレーションを付けたり、目の不自由な人用の読書デバイスとして活用するなど、幅広い応用が可能である。
【００９０】
もう１つの実施形態では、コンピュータとプリンタの機能は以下の機能を持った内蔵型独立デバイスに置き換えられる：（ａ）オーディオ録音または表示装置１８からデジタルオーディオデータを受け取る、（ｂ）録音されたオーディオをオーディオデータへデジタル化して圧縮する、（ｃ）入力トレイからイメージプリントを取り込み、コード化されたデータ５４をイメージプリントの裏面４６にインプリントし、出力プリントへ送る。このような内蔵型デバイスには小型化という長所がある。
【００９１】
ビューアパーチャに異なる素材を使用するその他の好適な実施形態を以下に説明する。新しい材料を以下に説明するが、図面には示さない。
【００９２】
もう１つのさらに好適な実施形態では、ビューアパーチャ２６はクリア、または透明なタッチセンシティブスクリーン材料（非表示）でできている。タッチスクリーンは指、手袋をつけた手、ペンに反応するアナログ抵抗タイプ技術を基本にすることが好ましい。タッチスクリーン技術は、当業者には従来から知られている。タッチスクリーンの電子的出力は、プロセッサ７２に接続されユーザ入力情報としてプロセスされる。この設定において、各イメージプリント上のコード化されたデータ５４は、それぞれのイメージプリントに関する機械命令、テキストデータなどを含むことができる。このようにイメージプリントがビューアパーチャ２６に送られた時に、コード化されたデータ５４に含まれた機械命令はタッチスクリーンからのユーザ入力と一緒に実行される。したがって、操作においては、ビューアパーチャ２６で見えている情報に対応するタッチスクリーンの特定のエリアを活性化することにより、表示装置１８とユーザの双方向対話が可能となる。例えば、子供の学習補助具として使用する場合は、イメージプリントに数種類の動物の絵などを示す。そのイメージプリントに対応するコード化されたデータ５４は、イメージプリントの各動物の場所に関連する付属情報を含む。ユーザが、コード化されたデータ５４が指示する特定の動物に対応するタッチスクリーンのエリアを押すと、「トラです。」といったように表示装置１８がスピーチ合成によって動物の名前を次のように再生する：ユーザが、次のイメージプリントに進むと、異なる動物が表示され、新しいイメージプリントに対応するコード化されたデータ５４が読み込まれて格納される。このように、タッチスクリーンで活性化されるエリアによって異なるメッセージが再生される。代わりに、表示装置がユーザに質問することもできる：「トラはどこにいますか？」という質問に対して、ユーザは、トラが見えているタッチスクリーンのエリアをタッチする。本発明を子供の学習補助具として利用したもう１つの例として、各イメージプリントをアルファベット文字にすることも可能である。タッチスクリーン上の文字をペンでなぞるようにユーザに指示が出される。手書き認識またはシンプルパターン一致のアルゴリズムにより、手でなぞった部分がプロセッサ７２によって分析される。なぞった部分が正しければ、正解メッセージが再生される。
【００９３】
もう１つの好適な実施形態では、ビューアパーチャ２６は液晶表示（LCD）材料（非表示）でできている。使用するLCDは光がLCDを通り抜けられる伝導タイプが好ましく、このタイプを用いると、LCD上のイメージがビューアパーチャ２６の下に見えるイメージプリントにオーバーレイのように表示される。イメージプリントの表面に照明を当てた時の見え方を改善するため、光源（非表示）をビューアパーチャ２６のすぐ下に配置する。伝導LCD技術は当業者には従来から知られている。LCDはプロセッサ７２と電気的に接続されており、ユーザに動的に変化するビジュアル情報を提供する。各イメージプリント上のコード化されたデータ５４は、それぞれのイメージプリントに関する機械命令、テキストデータなどを含む。このようにイメージプリントがビューアパーチャ２６に送られると、イメージプリントの持つ機械命令が実行され、LCD上に情報が表示される。操作においては、ユーザがイメージプリントをビューアパーチャ２６に送ると、プロセッサ７２がスピーカ３８からオーディオ情報を再生し、LCDディスプレイ上にビジュアル情報が表示される。LDC上のビジュアル情報は、イメージプリントの静止背景画像上にLCD画面のエリアを連続的に活性化することにより、アニメーション効果を作成することもできる。例えば、子供の物語本として使用した場合、LCD上では、男の子は、建物の背景画像を背にした簡単な棒線画として表現される。プロセッサ７２は、スピーチ合成によって以下のように物語のあらすじを再生する：「ジョニーが家から出て行きます。ジョニーがおばあさんの家の横を歩いています。ジョニーが学校へ行きます。」；ナレーションに従ってジョニーが行く場所に対応するLCDのエリアを連続的に活性化すると、ジョニーが家から学校まで歩いている様子がアニメ効果として作成される。ユーザが次のイメージプリントに進むと、違う絵と物語のあらすじがコード化されたデータ５４から読み込まれ、上記と同様に再生される。
【００９４】
さらにもう１つの好適な実施形態においては、上記のタッチスクリーンとLCDの特性が表示装置１８に同時に組み込まれており、ユーザ入力情報の受取り及びユーザに対する情報の出力の両方が可能な双方向対話式の表示装置になっている。例えば、子供の問答ツールとして使用した場合、まず、ユーザは、イメージプリントに表示されている鍋やフライパンなどの台所用品すべてを選択するように指示される。ユーザが正しい道具をタッチスクリーンで選択すると、その道具がイメージ上のどこにあるかを示すチェックマークがLCD上に表示される。すべての道具を正しく選択すると、正解メッセージがユーザに表示される。さらに、ユーザの回答は不揮発性メモリ７４に格納され、正解記録を保存するためにコンピュータなどの外部デバイスへ出力される。このデータは、データ接続子９６またはトランシーバ９４により転送される。
【００９５】
第２のさらに好適な実施形態の説明−図１１Ａから１１Ｄ及び１２
この好適な実施形態では、機械読取可能データをイメージプリントの裏面にインプリントする機能が表示装置１８内に組み込まれており、先の実施形態で見られたようにコンピュータやプリンタを別に用意する必要がなくなる。この第２のさらに好適な実施形態では：（ａ）オーディオを録音する、（ｂ）録音したオーディオを機械読取可能データへ変換する、さらに、（ｃ）表示装置１８内部に設置されたインプリンタを使用し、コード化されたデータ５４の形式で機械読取可能データをイメージプリントの裏面にインプリントすることが可能である。さらに、先に説明した形態では、オーディオ録音のプロセスとインプリントのプロセスはバッチによって行われていたが、この好適な実施形態では、これらのステップは連続的に行われ、対応するイメージプリントはオーディオ録音直後にインプリントされる。したがって、先の形態のように最初にPID１００を各イメージプリントの裏面に手書きするプロセスが必要なくなる。
【００９６】
図１１Ａから１１Ｄでは、この好適な実施形態の４つの異なる構成を示している。この好適な実施形態には、図７から図１０に表示されたさらに好適な実施形態のすべての部品と機能に加えて、コード化されたデータ５４を印刷する小型プリンタ１１５（図１１Ｄなどを参照）が組み込まれている。小型プリンタ１１５は、４つの構成それぞれにおいて、表示装置１８内部の異なる場所に配置される。小型プリンタ１１５は、超小型、軽量、省電力型という特徴を持ち、持ち運び可能な電池仕様に適している。このような小型プリンタは、アルプス・エレクトリック社、セイコーインスツルメンツ、エプソン・アメリカ、富士コピアなどが製造している。図１２では、インプリントする機械読取可能データを受け取るために小型プリンタ１１５がプロセッサ７２に接続されている。ROM７７は、オーディオデータを機械読取可能データに変換し、この機械読取可能データをコード化されたデータ５４としてインプリントするために小型プリンタ１１５へと送る追加のソフトウェアルーチンを含む。
【００９７】
図１１Ａでは、小型プリンタ１１５（図１１Ａには非表示）が表示装置１８のフレーム枠２０に設置されている。入力スロット１２４は、フレーム枠表面に置かれており、出力スロット（非表示）はフレーム枠２０裏面の入力スロット１２４の反対側に配置されている。
【００９８】
図１１Ｂでは、表示装置１８の裏面が示されている。小型プリンタ１１５（図１１Ｂには非表示）はコントローラ枠２２内部に配置されている。この構成では、図１１Ｂに示すように表示装置１８を後ろから見た場合、入力スロット１２４はコントローラ枠２２の右側に、出力スロット１２６は左側に配置されている。
【００９９】
図１１Ｃでは、小型プリンタ１１５（図１１Ｃには非表示）が引き出し２４の引き出しハンドル部分１２０に配置されている。引き出しハンドル１２０の外壁面に、入力スロット１２４があり、出力スロット（非表示）は、入力スロット１２４のちょうど反対側にある引き出しハンドル１２０の内壁面に配置されている。
【０１００】
図１１Ｄでは、小型プリンタ１１５が引き出し２４のセパレータバー（１１Ｄには非表示）上に配置されている。この構成では、引き出し２４が閉じている間に、小型プリンタ１１５のプリントヘッド（非表示）が、ビューアパーチャ２６に表示されているイメージプリント１３０の裏面４６上を直接通過する。コード化されたデータ５４は、引き出し２４が閉じている間に、小型プリンタ１１５によってイメージプリント１３０の裏面４６に直接インプリントされる。あるいは、裏面４６に直接インプリントする代わりに、まずラベルにコード化されたデータ５４をインプリントし、引き出し２４が閉じている間に小型プリンタ１１５がイメージプリント１３０の裏面４６にそのラベルを貼り付けることもできる。
【０１０１】
第２のさらに好適な実施形態の操作−図１１Ａから１１Ｄ及び１２
本発明の２番目のさらに好適な実施形態における４つの構成の操作を図１１Ａから１１Ｄを参照しながら説明する。すべての構成において、ユーザは、ビューアパーチャ２６に表示されているイメージプリントに対応するオーディオを表示装置１８の録音機能を使用して録音することから始める。オーディオ録音過程はさらに好適な実施形態−図１０Ａから１０Ｂにおいて先に説明した操作と同様である。しかしながら、この場合、オーディオ録音直後に機械読取可能データをイメージプリントにインプリントするため、最初にPID１００を各イメージプリントの裏に手書きする必要はない。
【０１０２】
図１１Ａに示された構成では、ユーザは、ビューアパーチャ２６に表示されているイメージプリント１３０のオーディオ録音から開始する。録音が作成されると、ユーザは引き出し２４を完全に開いて、引き出し２４内部のイメージプリントのスタック３６からイメージプリント１３０を取り除く。その後、ユーザは、引き出し２４を完全に閉じてから、イメージプリント１３０のイメージを上に向けた状態で入力スロット１２４に挿入する。イメージプリント１３０は、小型プリンタ１１５の紙送り装置（非表示）によって矢印１３２が示す方向に、入力スロット１２０を通って引き込まれ、コード化されたデータ５４の形式の機械読取可能データが、小型プリンタ１１５によりイメージプリント１３０の裏面４６にインプリントされる。その後、インプリントされたイメージプリント１３０を表示装置１８の裏側にある出力スロットから取り出す。イメージプリント１３０の裏面４６にはコード化されたデータ５４の形式で機械読取可能データがコード化され、この直後あるいはしばらくしてから引き出し２４に戻される。このプロセスは、アノテーションと機械読取可能データをインプリントするためにイメージプリントの各々に繰り返される。代わりの操作モードとしては、ユーザがまず引き出し２４を完全に開き、イメージプリント３６のスタック全体を取り除き、引き出し２４を完全に閉じる方法がある。その後、ユーザはイメージプリント１３０の中から１枚を選び、表示装置１８を使用してこのイメージプリントに関連付けられたオーディオ録音を作成する。録音に満足すれば、ユーザはイメージプリント１３０を入力スロット１２４に挿入して、インプリントしたイメージプリントを出力スロットから取り出す。その後、ユーザは、アノテーションを付けてコード化されたデータ５４と一緒にインプリントするために、各イメージプリントに対してこのプロセスを繰り返す。すべてのイメージプリントにアノテーションが付けられ、インプリントされると、ユーザは引き出し２４を開き、イメージプリント３６のスタックを元に戻して、引き出し２４を完全に閉じる。
【０１０３】
図１１Ｂに示された構成では、上記及び図１１Ａに示した構成操作と同様の操作である。イメージを上に向けた状態でイメージプリント１３０を入力スロット１２４に挿入する。イメージプリント１３０は、小型プリンタの紙送り装置（非表示）により矢印１３２が示す方向に入力スロット１２４を通って引き込まれ、コード化されたデータ５４の形式の機械読取可能データが小型プリンタ１１５によってイメージプリント１３０の裏面４６にインプリントされる。インプリントされたイメージプリント１３０はその後出力スロット１２６から戻される。
【０１０４】
図１１Ｃに示された構成では、ユーザは、ビューアパーチャ２６に表示されたイメージプリント１３０のオーディオを録音することから操作を開始する。録音が作成されると、ユーザは引き出し２４を完全に開いてイメージプリント３６のスタックからイメージプリント１３０を取り除く。ユーザはイメージプリント１３０のイメージを上に向けた状態で、引き出しハンドル１２０の外壁面に配置された入力スロット１２４に挿入する。イメージプリント１３０は、小型プリンタ１１５の紙送り装置（非表示）により、矢印１３２が示す方向へ引き込まれ、コード化されたデータ５４の形式の機械読取可能データは、小型プリンタ１１５によってイメージプリント１３０の裏面４６へインプリントされる。その後、イメージプリント１３０は出力スロット（非表示）によりフィードされ、インプリントされたイメージプリント１３０は引き出し２４に納められたイメージプリントのスタック３６の最前列に配置される。これで、イメージプリント１３０の裏面４６に、コード化されたデータ５４の形式で機械読取可能データがインプリントされた状態となる。引き出しを閉じてこのプロセスを繰り返す。代わりの操作モードでは、ユーザはまず引き出し２４を完全に開き、イメージプリントのスタック３６全部を取り出して、引き出し２４を完全に開いた状態にする。その後、ユーザはイメージプリント１３０から１枚を選び、表示装置１８を使用してイメージプリントに関連付けるオーディオ録音を作成する。録音に満足すれば、ユーザはインプリントのためにイメージプリント１３０を入力スロット１２４に挿入する。インプリントの後、イメージプリント１３０は出力スロットから出力され、引き出し２４内に置かれる。ユーザは各イメージプリントに対してこのプロセスを繰り返すが、その際、引き出し２４は完全に開いた状態にしておく。すべてのイメージプリントにアノテーションが付けられ、インプリントされると、イメージプリントのスタック３６は引き出し２４内に戻される。その後、ユーザが引き出し２４を閉じる。
【０１０５】
図１１Ｄに示した構成では、ユーザは引き出し２４を完全に開いた状態で操作を開始する。引き出し２４が完全に開いている状態で、ユーザはビューアパーチャ２６に表示されたイメージプリント１３０のオーディオを録音する。録音が作成されると、ユーザは引き出し２４を閉じる。引き出し２４を閉じている状態で、セパレータバー（図１１Ｄには非表示）上にある小型プリンタ１１５のプリンタヘッドが、ビューアパーチャ２６に表示されているイメージプリント１３０の裏面４６上を矢印１３３が示す方向に直接通過し、コード化されたデータ５４の形式にて機械読取可能データがイメージプリント１３０の裏面４６にインプリントされる。つまり、先に説明した構成とは違い、この構成では、小型プリンタ１１５へフィードするためにイメージプリント１３０を表示装置１８から取り除くという最初の操作を行わなくても、コード化されたデータをイメージプリント１３０の裏面４６にインプリントすることができる。あるいは、裏面４６に直接インプリントするかわりに、まず、機械読取可能データをラベルにインプリントし、引き出し２４を閉じている状態で小型プリンタ１１５によってそのラベルをイメージプリント１３０の裏面に貼り付けることもできる。
【０１０６】
その他の構成で述べたように、機械読取可能データのインプリントには直接印刷が望ましいが、まずラベルに印刷し、その後プリンタ装置によってそのラベルをイメージプリントの裏面に貼り付ける、あるいは、ラベルを手作業で貼り付けることもできる。また、顧客が後で購入できる便宜をはかり、追加オプションとして表示装置に装着できる小型プリンタを設計することもできる。さらに、小型プリンタ１１５の４つの構成と可能な配置を図で説明したが、当業者は、他の構成の可能性も積極的に理解し、補足請求項で明確にされているようにそれらの構成をすべて本発明の範囲内に入れる見込みである。
【０１０７】
要約すると、独立したコンピュータやプリンタを必要とすることなく、機械読取可能データをコード化されたデータ５４の形式でインプリントできる本発明の機能は、便利で時間節約になる。この追加機能を表示装置１８の表示及び記憶機能と組み合わせれば、持ち運び可能な電池仕様の内蔵型アノテーション及び表示装置となる。
【０１０８】
第３のさらに好適な実施形態の説明
この好適な実施形態では、イメージをキャプチャする時にイメージに対応するオーディオをキャプチャし、その後再生する方法を説明する。手段には、オーディオ録音機能、オーディオ録音から機械読取可能データへ変換する機能、機械読取可能データを対応する現像済みイメージプリントにインプリントする機能、インプリントしたイメージプリントを表示装置で再生する機能を含む。この方法では、第１の好適な実施形態またはさらに好適な実施形態の表示装置が使用できる。
【０１０９】
オーディオ録音機能付きカメラは、使い捨てフィルムカメラ、従来のフィルムカメラ、インスタントフィルムカメラ、デジタルカメラとして従来から知られている。１枚の写真につき１つのオーディオ録音が可能な通常のカメラでは、オーディオ録音は撮影前、撮影中、撮影後に作成できる。オーディオ録音は、通常は、ユーザがカメラのオーディオ録音スイッチを入れることで開始される。こうした通常のカメラによって作成されたオーディオ録音は、フィルムのネガ（光学的）や、磁気コートされたフィルムネガ（磁気的）などの媒体や、ソリッドステート媒体などに格納することが可能である。容量増加のため、また、損失やイメージとオーディオ録音の分離を避けるために、ソリッドステートオーディオ記憶媒体をフィルムカートリッジあるいはフィルムキャニスター自体に付ける過去の技術も知られている。これらの各素子は従来から知られており、本発明の理解に特に関連しない詳細は省略した。以下に本発明の方法について使い捨てフィルムカメラ、従来のフィルムカメラ、デジタルカメラの順で述べる。
【０１１０】
使い捨てフィルムカメラ：
対応するオーディオ録音は、写真を１枚撮影するごとに１つ作成される。すべてのフィルムを撮り終えると、通常は、使い捨てカメラをカメラごと適切な設備のある写真現像店へ持ち込んで現像とプリントを行う。写真現像店は、オーディオ記録をすべて呼び出し、従来の方法でフィルムネガを現像してイメージプリントを作成する。その後、写真現像店はオーディオ録音を機械読取可能データへ変換させ、コード化されたデータ５４の形式のデータを各イメージプリントの裏面へインプリントする。裏面にコード化されたデータ５４という形でプリントされたオーディオ録音を持つイメージプリント一式が顧客に返却される。顧客がイメージプリントを表示装置１８に置くと、各イメージプリントを見ながら対応するオーディオ録音を聞くことができる。
【０１１１】
従来のフィルムカメラ：
対応するオーディオ録音は、写真を１枚撮影するごとに１つ作成される。すべてのフィルムを撮り終えると、フィルムカートリッジと一体化したオーディオ録音を適切な設備を備えた写真現像店へ持ち込んで現像とプリントを行う。写真現像店は、オーディオ記録をすべて呼び出し、従来の方法でフィルムネガを現像してイメージプリントを作成する。その後、写真現像店はオーディオ録音を機械読取可能データへ変換させ、コード化されたデータ５４の形式のデータを各イメージプリントの裏面へインプリントする。裏面にコード化されたデータ５４という形でプリントされたオーディオ録音を持つイメージプリント一式が顧客に返却される。顧客がイメージプリントを表示装置１８に置くと、各イメージプリントを見ながら対応するオーディオ録音を聞くことができる。
【０１１２】
デジタルカメラ：
対応するオーディオ録音は、イメージを１つキャプチャするごとに１つ作成される。望みの枚数のイメージとそれぞれに対応するオーディオ録音をキャプチャした後、ユーザはイメージとオーディオファイルを適切な設備を備えた写真現像店に持ち込む。あるいは、ファイルをインターネット経由でオンライン現像業者へ送信するか、ファイルを特定の記憶媒体から直接読み込める設備のある写真店へ持ち込んでもよい。イメージとオーディオファイルは、例えばJPEGとWAVファイルのようにそれぞれ別々に記憶・転送されるが、米国ネバダ州インクライン・ビレッジのサウンドピックス（SoundPix）社開発のSoundPixTMのような単独のオーディオ・イメージファイルフォーマットに各イメージと対応するオーディオメッセージを組み合わせることもできる。写真現像店は、イメージファイルからイメージプリント一式を作成し、オーディオ録音を機械読取可能データへ変換させる。その後、写真現像店はコード化されたデータ５４の形式の機械読取可能データを各イメージプリントの裏面へインプリントする。裏面にコード化されたデータ５４という形でプリントされたオーディオ録音を持つイメージプリント一式が顧客に返却される。顧客がイメージプリントを表示装置１８に置くと、各イメージプリントを見ながら対応するオーディオ録音を聞くことができる。
【０１１３】
要約すると、対応するイメージがキャプチャされると同時にオーディオ録音を作成する方法の主な長所は、写真が撮影された数日後あるいは数週間後に写真を見ながら録音するのに比べ、イメージに関連するより正確な情報が録音できることである。これは長期旅行や休暇の場合に特に当てはまる。この方法により、ユーザは、キャプチャしたイメージに対応するオーディオを簡単に録音することができるうえ、写真現像店から受け取るイメージプリントにはオーディオ録音に対応する機械読取可能データが直接インプリントされていることから、それらを本発明の表示装置を用いてすぐに再生・鑑賞できる。この方法では、ユーザ自身が機械読取可能データをイメージプリントへインプリントする必要がなく、特にユーザフレンドリーと言える。
【０１１４】
第４のさらに好適な実施形態の説明−図１２から１３
この好適な実施形態では、図１２と１３に示すように、引き出し２４は第１の好適な実施形態―図１から６に説明されたように、取り外し可能な引き出し式カートリッジあるいはカセット２２４に置き換えられる。取り外し可能な各引き出しカセット２２４は、イメージプリント３６のスタックを保持することができる。カセット２２４とカセットに入れたイメージプリントを合わせて「アノテーションが付けられたイメージプリントのポートフォリオ」あるいは短く「ポートフォリオ」と呼ぶ。スタック３６に含まれる各イメージプリントには、先に述べた手段によってアノテーションが付けられるが、ポートフォリオ全体にアノテーションを付ける説明はまだなされていない。例えば、「この３６枚の写真は２０００年夏のイタリア旅行で撮影した写真です。」ようなイントロを表す音声アノテーションをポートフォリオに付けるといったことが望まれるであろう：このイントロがカセット２２４が新たに表示装置１８に挿入されるたびに再生されるのが理想である。
【０１１５】
以下に、ユーザがポートフォリオの内容に対応するアノテーションを作成する際のポートフォリオアノテーションシステムについて説明する。
【０１１６】
この好適な実施形態には、さらに好適な実施形態―図７から１０の部品と機能がすべて組み入まれている上に、以下の追加と修正を含む。図１３は取り外し可能なカセット２２４が表示装置１８から完全に取り外された状態を示している。１番目の好適な実施形態の説明−図１から６で説明したストッパー（非表示）を外すことにより、カセット２２４を表示装置１８のフレーム枠２０から取り外すことが可能である。カセット２２４はメモリスロット１４０を含む。このメモリスロット１４０の中に記憶素子１４２を矢印１５０の示す方向に向かって挿入することもある。メモリスロット１４０は、カセット２２４の電気的接触（非表示）、及びフレーム枠２０の反対側の補完的な電気的接触（非表示）により、プロセッサ７２と電気的接続を持つ。メモリスロット１４０は、さまざまな記憶素子１４２を保持するように構成することも可能だが、米国カリフォルニア州サニービルのサンディスク社が販売するマルチメディアカードのような切手サイズの小型記憶素子を使用することが好ましい。記憶素子１４２は、ポートフォリオ用オーディオデータなどのユーザアノテーションの保持に使用される。記憶素子１４２は、取り外し可能であり、希望するアノテーションの長さに応じたさまざまな容量の記憶素子が使用できる。その上、記憶素子１４２は、他の電子機器での使用あるいは他のデバイスとの情報交換のために、機械データ、又はテキストデータなど、オーディオ情報以外の情報を保持することもある。
【０１１７】
カセット２２４の外側表面には、ポートフォリオを特定するタイトルを記入するラベル１４４を貼り付ける場所がある。
【０１１８】
コントローラ２３のROM７７には、フレーム枠２０に挿入されている取り外し可能カセット２２４を分析するルーチンと、関連付けられたカセット２２４のポートフォリオのうち、どのイメージプリントが表示・再生されているかを分析するルーチンの、２つの追加ソフトウェアルーチン（非表示）が含まれる。この分析機能を実施する１つの方法は、コントローラ２３で各カセットとイメージプリントのチェックサムを作成して記憶することである。チェックサムとは分析中のデータブロックの内容に応じて計算された値である。チェックサムを作成する技術は従来から知られている。例えば、コントローラ２３が記憶素子１４２から読み込んだデータを使って取り外し可能カセット２２４用のカセットチェックサムを作成する。コントローラ２３は、以前に作成して不揮発メモリ７４に格納されているカセットチェックサムと当該のカセットチェックサムを比較する。チェックサムが異なる場合、コントローラ２３は新しいカセット２２４が挿入されたと判断する。同じテクニックが、表示・再生されているアノテーションを付けたイメージプリントの識別に使用される。イメージプリントの裏面４６の機械読取可能データからオーディオデータが解読されるたびに、コントローラ２３が機械読取可能データを使用してイメージチェックサムを作成し、後の呼び出しと比較のために記憶素子１４２に格納する。あるいは、緻密な計画に基づいてフレーム枠２０内に置かれたセンサがカセット２２４の変更だけを感知するように使用してもよい。
【０１１９】
ポートフォリオに対応するオーディオメッセージを録音するために、表示装置１８はプロセッサ７２（図１２参照）に接続されたポートフォリオ録音スイッチ１３４を含む。ポートフォリオに対応する録音されたオーディオデータは記憶素子１４２に格納される。
【０１２０】
第４のさらに好適な実施形態の操作−図１２から１３
上記のポートフォリオアノテーションシステムの操作、及び分析情報システムの使用を図１２から１３を中心に参照しながら説明する。まず、ポートフォリオ再生プロセスを説明するが、まず、記憶素子１４２が、カセット２２４内に置かれたイメージプリントのスタック３６（両方あわせてポートフォリオと呼ばれる）に対応するアノテーションをすでに含んでいると想定する。ユーザはカセット２２４をスロット３４を通してフレーム枠２０へ挿入する（図１参照）。カセット２２４が完全に入ると、メモリスロット１４０を通して記憶素子１４２がプロセッサ７２と電気的接触を起こす。コントローラ２３が記憶素子１４２が接続されたことを感知すると、記憶素子１４２の内容を読み取り、カセットチェックサムを作成する。コントローラ２３は、以前に作成して不揮発性メモリ７４に格納していたカセットチェックサムと当該のチェックサムを比較する。違っている場合、コントローラ２３は、異なるカセット２２４が挿入されたと判断し、記憶素子１４２に含まれた新しいポートフォリオに対応するイントロのオーディオ情報を再生する。例えば、オーディオメッセージのイントロで、「これは、２０００年夏のイタリア旅行で撮影した写真です」のように今から表示する写真の概要をユーザに伝える。これ以降は、カセット２２４を出し入れするたびに、表示されたイメージプリントに対応するアノテーションされたメッセージが再生される。異なるカセット２２４がフレーム枠２０に挿入されるたびに、カセットを探知して、関連付けられたイントロのメッセージが再生される。
【０１２１】
ポートフォリオアノテーション録音プロセスについて説明する。一般的に、ポートフォリオアノテーションとは、取り外し可能なカセット２２４内部に入れられたイメージプリントのスタック３６全体を示すポートフォリオを特徴づけるメッセージ録音である。例えば、ポートフォリオ録音は次のようである：「これは、２０００年夏のイタリア休暇で撮影した写真です」。これに対し、ポートフォリオの各イメージプリントのアノテーションは次のようになる：「これは、ピサの斜塔前で撮った家族写真です」、「ベニスの美しいゴンドラです」などである。ポートフォリオ録音は、記憶素子１４２が実装されているカセット２２４が完全に閉じた状態にある場合はいつでも可能である。ポートフォリオ録音は、ポートフォリオ録音スイッチ１３４を入れて、マイク９０に向かって話す間実行される。ポートフォリオ録音のオーディオデータは、記憶素子１４２に格納される。ポートフォリオメッセージの消去及び再録音の手段も含まれる。
【０１２２】
同じポートフォリオに対していくつかの異なるポートフォリオオーディオメッセージを録音及び再生する場合における上記の録音と再生シナリオの展開例を以下に述べる。
【０１２３】
このような展開例としては、カセット２２５をフレーム枠２０に挿入して、始めにユーザに長いイントロメッセージを聞かせるのではなく、ポートフォリオメッセージをいくつかの短いメッセージに分割し、イメージプリントのアノテーションを見たり、聞いたりする合間に再生するものがある。例えば、以下の順番で使用される：ポートフォリオメッセージ＃１、最初の写真アノテーション、２番目の写真アノテーション、ポートフォリオメッセージ＃２、３番目の写真アノテーション、４番目の写真アノテーション、ポートフォリオメッセージ＃３などである。この再生パターンを達成する方法としては、ユーザは、まず２つの非常に短い（各１秒未満）無声のポートフォリオを録音し、その後、イメージプリントアノテーションの合間に再生するための一連の異なるオーディオメッセージを録音する。コントローラ２３は、２つの非常に短いブランク録音について、写真アノテーションを２つ再生するごとに次のポートフォリオメッセージを１つ再生すると解釈するようにプログラムされている。このポートフォリオメッセージとイメージプリントメッセージの交互再生は継続的に繰り返される。当業者は、他の方法でもこれと同様、または他の再生パターンを達成できることを理解し、認識するものとする。
【０１２４】
他の展開例としては、特別なポートフォリオメッセージを表示中の特定のイメージプリントに関連付けることで、特定のイメージプリントのアノテーションに対して追加または補助的なアノテーションを付けるものがある。これは、個々のイメージプリントに付けられるアノテーションが十分な長さでない場合、あるいは、個々のイメージプリントのアノテーションが作成された後に新たな情報が入手されたときなどに望ましい。これを実現する方法を以下に述べる：ユーザは、アノテーションが付けられたイメージプリントのスタック３６を入れたカセット２２４が閉じ、記憶素子１４２が実装された状態で操作を開始する。追加のアノテーションを付けるイメージプリントが表示されるまでイメージプリントを順番に進める。ポートフォリオ録音スイッチ１３４を入れて、表示されたイメージプリントに関するメッセージを録音する。録音が完了すると、コントローラ２３は、表示中の特定のイメージプリントにオーディオメッセージを関連付ける際に使用するイメージチェックサムとともに、オーディオデータを記憶素子１４２に格納する。このプロセスはイメージプリントの枚数に関係なく何度でも繰り返し行うことができる。再生中、イメージプリントがビューアパーチャ２６に表示されると、コントローラ２３がイメージプリントの裏面４６にコード化されたアノテーションされたオーディオを再生する。同時に、コントローラ２３がイメージチェックサムを作成し、記憶素子１４２から同一のイメージチェックサムを検索する。同一のイメージチェックサムが見つかると、コントローラ２３はイメージプリントの再生後に関連付けられたポートフォリオメッセージを呼び出して再生する。同一のイメージチェックサムが見つからなければ、表示されたイメージプリントに関連付けられたポートフォリオメッセージは存在しないので、これ以上の動作は実行されない。当業者は、他の方法でもこの結果が得られることを理解し、認識するものとする。
【０１２５】
記憶素子１４２は取り外し可能なように装着できると述べたが、製造コストによっては、記憶素子１４２を取り外せないようにカセット２２４に埋め込むこともできる。この場合、各カセットは、製造プロセス中に記憶素子１４２に埋め込まれた固有の識別番号を持つ。これが、それぞれのカセット２２４を識別するもう１つの方法となる。
【０１２６】
写真イメージプリントにおける主要な問題の１つとして、写真プリントがしばしば靴箱や引き出しにしまわれたままになっていることが挙げられる。なぜなら：A)これまで、写真を整理するには従来の写真アルバム以外に実用的な手段がなかったが、写真アルバムは整理に時間がかかり、持ち運ぶには大きく、また、保存に場所を取る；そしてB)写真の裏にメモを手書きする以外に写真にアノテーションを付ける簡単な方法がなかったためである。
【０１２７】
本明細書に説明したイメージとポートフォリオのアノテーションシステムにより、ユーザは写真を取り出しやすい小さなポートフォリオに整理区分することができる。その上、各ポートフォリオの音声アノテーションによる説明により、ユーザは写真をより楽しむことができるほか、内容を理解しやすくなる。
【０１２８】
このように、イメージプリントとポートフォリオにアノテーションを付ける上記の方法及び装置が便利で、有効、経済的、信頼性が高いことが理解できる。結果として得られるアノテーションは、イメージプリント自体と同じ期間だけ存続し、時間の経過や使用によって品質が落ちることがなく、また、誤って消去してしまうこともない。イメージプリントと一体でオーディオアノテーションを含ませる機能によって、イメージプリントの説明、物語、記憶を呼び起こす作用の質が大幅に高まり、静止イメージ写真の本来の用途を広げることにもなる。高価な精巧機器を購入する必要がなく、既存の写真と新しい写真プリントの両方にアノテーションを付けることができる。
【０１２９】
当業者は、CD-ROM、DVDなどに利用されている光技術の最近の進歩によってデータの密度及び容量が大幅に向上することに注目するとみられ、この光技術は、現在のところは経済的に難しいものの、本発明でもデータ記憶に利用できる可能性がある。ホログラフィックデータ記憶は、期待されるもう１つの光技術である。例えば、DuPontTMで開発されたフォトポリマーとして知られるホログラフィック材料は、ポリマーフィルム１００マイクロの厚さに１０００ページものビットパターンを格納できることが証明された。このデータの読み込みと書き込み技術が完全に開発され、小型化されると、音声や他のデータは写真ポリマーフィルムに格納され、イメージプリントの裏にラベルのように直接貼り付けられる。本明細書に述べた表示装置と同様の表示装置を使用してイメージプリントを表示し、フォトポリマーフィルムに格納された関連データを再生する。
【０１３０】
上記は、発明の特に好適な実施形態の詳細説明である。本開示にあたり、当業者は、本明細書に開示された実施形態の改良は発明の意図と範囲から外れないように実施であることを理解すべきである。本明細書に開示され、請求されたすべての実施形態は、本開示を踏まえて必要以上の実験を行うことなく作成し実行することが可能である。本発明の全範囲は請求の範囲及び均等の範囲にて詳しく述べる。これにより、本発明に与えられた保護の全範囲が、請求の範囲と明細書によって不当に狭められることはない。
【図面の簡単な説明】
【０１３１】
【図１】本発明の好適な実施形態の表示装置から引き出しを完全に開き、上から見た斜視図である。
【図２Ａ】図１に示した装置の引き出しを完全に閉め、下から見た斜視図である。
【図２Ｂ】図２Ａに示した表示装置のコントローラ枠をフレーム枠から取り除いた状態である。
【図３】図２Ａに示した表示装置を３−３に沿って切断した断面図である。
【図４】図１に示した表示装置に使用するイメージプリントの裏面の見本である。
【図５】図１に示した表示装置の電気系統のブロック略図である。
【図６】図１に示した表示装置の操作を示す論理フローチャートである。
【図７】本発明の表示装置のさらに好適な実施形態を上から見た斜視図である。
【図８】図７に示した本発明の好適な実施形態に使用するイメージプリントの裏面の見本である。
【図９】図７に示した本発明の表示装置の好適な実施形態の電気系統のブロック略図である。
【図１０Ａ】図７に示した本発明の表示装置の好適な実施形態の操作を表す論理フローチャートである。
【図１０Ｂ】図７に示した本発明の表示装置の好適な実施形態の操作を表す論理フローチャートである。
【図１１Ａ】イメージプリントのインプリント手段を示しており、２番目に好適な本発明の実施形態の４つの構成の斜視図である。
【図１１Ｂ】イメージプリントのインプリント手段を示しており、２番目に好適な本発明の実施形態の４つの構成の斜視図である。
【図１１Ｃ】イメージプリントのインプリント手段を示しており、２番目に好適な本発明の実施形態の４つの構成の斜視図である。
【図１１Ｄ】イメージプリントのインプリント手段を示しており、２番目に好適な本発明の実施形態の４つの構成の斜視図である。
【図１２】図１１Ａから１１Ｄ及び図１３に示した表示装置の電気系統のブロック略図である。
【図１３】発明の４番目に好適な実施形態の取り外し可能なカセットの斜視図である。
【符号の説明】
【０１３２】
１８  表示装置
２０  フレーム枠
２１  プリントホルダー
２２  コントローラ枠
２３  コントローラ
２４  引き出し
２６  ビューアパーチャ
２８  側壁
３０  前壁
３２  底
３３  底開口
３４  スロット
３６  イメージプリントのスタックまたはポートフォリオ
３８  スピーカ
４０  サポート面
４１  セパレータバー
４２  引き出しスイッチ
４３  操作レバー
４６  イメージプリントの裏面
４８  最後尾イメージプリント
４９  最前列イメージプリント
５２  スキャンウィンドウ
５４  コード化されたデータ
５６  ミラー
５８  イメージセンサ
５９  発光体
６０  光パス
６１  光パス
６６  人間が判読可能な情報
７２  プロセッサ
７４  不揮発性メモリ
７６  ランダムアクセスメモリ
７７  読み出し専用メモリ
７８  オーディオ  アンプ
８０  デジタル信号プロセッサ
８２  電池
９０  マイク
９２  記録スイッチ
９４  トランシーバ
９６  データ接続子
１００  ピクチャID(PID)
１１０  PID情報プロセスルーチン
１１２  オーディオ録音ルーチン
１１５  小型プリンタ
１２０  引き出しハンドル
１２４  入力スロット
１２６  出力スロット
１３０  イメージプリント
１３４  ポートフォリオ録音スイッチ
１４０  メモリスロット
１４２  記憶素子
１４４  ラベル
２２４  取り外し可能カセット
４４、５０、１３２、１３３、１５０  矢印
【図１】
2004524757.tif 000004
【図２Ａ】
2004524757.tif 000005
【図２Ｂ】
2004524757.tif 000006
【図３】
2004524757.tif 000007
【図４】
2004524757.tif 000008
【図５】
2004524757.tif 000009
【図６】
2004524757.tif 000010
【図７】
2004524757.tif 000011
【図８】
2004524757.tif 000012
【図９】
2004524757.tif 000013
【図１０Ａ】
2004524757.tif 000014
【図１０Ｂ】
2004524757.tif 000015
【図１１Ａ】
2004524757.tif 000016
【図１１Ｂ】
2004524757.tif 000017
【図１１Ｃ】
2004524757.tif 000018
【図１１Ｄ】
2004524757.tif 000019
【図１２】
2004524757.tif 000020
【図１３】
2004524757.tif 000021
【国際公開パンフレット】
2004524757.tif 000022
2004524757.tif 000023
2004524757.tif 000024
2004524757.tif 000025
2004524757.tif 000026
2004524757.tif 000027
2004524757.tif 000028
2004524757.tif 000029
2004524757.tif 000030
2004524757.tif 000031
2004524757.tif 000032
2004524757.tif 000033
2004524757.tif 000034
2004524757.tif 000035
2004524757.tif 000036
2004524757.tif 000037
2004524757.tif 000038
2004524757.tif 000039
2004524757.tif 000040
2004524757.tif 000041
2004524757.tif 000042
2004524757.tif 000043
2004524757.tif 000044
2004524757.tif 000045
2004524757.tif 000046
2004524757.tif 000047
2004524757.tif 000048
2004524757.tif 000049
2004524757.tif 000050
2004524757.tif 000051
2004524757.tif 000052
2004524757.tif 000053
2004524757.tif 000054
2004524757.tif 000055
2004524757.tif 000056
2004524757.tif 000057
2004524757.tif 000058
2004524757.tif 000059
2004524757.tif 000060
2004524757.tif 000061
2004524757.tif 000062
2004524757.tif 000063
2004524757.tif 000064
2004524757.tif 000065
2004524757.tif 000066
2004524757.tif 000067
2004524757.tif 000068
2004524757.tif 000069
2004524757.tif 000070
2004524757.tif 000071
2004524757.tif 000072
2004524757.tif 000073
2004524757.tif 000074
2004524757.tif 000075
2004524757.tif 000076
2004524757.tif 000077
2004524757.tif 000078
2004524757.tif 000079
2004524757.tif 000080
2004524757.tif 000081
2004524757.tif 000082
2004524757.tif 000083
2004524757.tif 000084
2004524757.tif 000085
2004524757.tif 000086
2004524757.tif 000087
2004524757.tif 000088
2004524757.tif 000089
2004524757.tif 000090
2004524757.tif 000091
2004524757.tif 000092
2004524757.tif 000093
2004524757.tif 000094
2004524757.tif 000095
【国際公開パンフレット（コレクトバージョン）】
2004524757.tif 000096
【国際調査報告】
2004524757.tif 000097
2004524757.tif 000098
2004524757.tif 000099